(57)【特許請求の範囲】
【請求項１】
第１の受信信号の電力を所定の電力レベルとなるように調整する第１のゲイン調整量に対応する信号を出力する第１のゲイン検出部、および前記第１の受信信号に含まれる基準信号に基づいて当該第１の受信信号の伝送路特性を推定した結果に対応する第１の推定値電力を出力する第１の推定値電力演算部を有して構成され、前記第１のゲイン調整量に応じて電力レベルを調整された前記第１の受信信号を復調して第１の復調信号を出力する第１の復調経路と、
第２の受信信号の電力を所定の電力レベルとなるように調整する第２のゲイン調整量に対応する信号を出力する第２のゲイン検出部、および前記第２の受信信号に含まれる基準信号に基づいて当該第２の受信信号の伝送路特性を推定した結果に対応する第２の推定値電力を出力する第２の推定値電力演算部を有して構成され、前記第２のゲイン調整量に応じて電力レベルを調整された前記第２の受信信号を復調して第２の復調信号を出力する第２の復調経路と、
前記第１のゲイン調整量、前記第２のゲイン調整量、前記第１の推定値電力および前記第２の推定値電力に基づいて電力比を演算して、当該電力比と所定のしきい値とを比較する電力比比較部と、
前記第１の復調信号または前記第２の復調信号のうち、受信電力対雑音電力比が大きい方の復調信号を選択する信号選択部と、
前記第１の復調信号と前記第２の復調信号とを等利得で合成する信号合成部と、
前記電力比比較部における前記比較の結果に応じて、前記信号選択部によって選択された復調信号、または前記信号合成部によって合成された復調信号のうち、いずれかの復調信号を出力する復調信号出力部とを備え、
前記電力比比較部は、前記第２のゲイン調整量に対応する係数と前記第１の推定値電力との積と、前記第１のゲイン調整量に対応する係数と前記第２の推定値電力との積との比を前記電力比として演算して、当該電力比と前記所定のしきい値とを比較するように構成されてなるダイバーシチ受信装置。
【請求項２】
複数の搬送波成分を含む第１の受信信号の電力を所定の電力レベルとなるように調整する第１のゲイン調整量に対応する信号を出力する第１のゲイン検出部、および前記第１の受信信号に含まれる各搬送波成分の電力である第１の搬送波電力を出力する第１の搬送波電力演算部を有して構成され、前記第１のゲイン調整量に応じて電力レベルを調整された前記第１の受信信号を復調して第１の復調信号を出力する第１の復調経路と、
複数の搬送波成分を含む第２の受信信号の電力を所定の電力レベルとなるように調整する第２のゲイン調整量に対応する信号を出力する第２のゲイン検出部、および前記第２の受信信号に含まれる各搬送波成分の電力である第２の搬送波電力を出力する第２の搬送波電力演算部を有して構成され、前記第２のゲイン調整量に応じて電力レベルを調整された前記第２の受信信号を復調して第２の復調信号を出力する第２の復調経路と、
前記第１の搬送波電力、前記第２の搬送波電力、前記第１のゲイン調整量および前記第２のゲイン調整量に基づいて電力比を演算して、当該電力比と所定のしきい値とを比較する電力比比較部と、
前記第１の復調信号または第２の復調信号のうち、受信電力対雑音電力比が大きい方の復調信号を選択する信号選択部と、
前記第１の復調信号と前記第２の復調信号とを等利得で合成する信号合成部と、
前記電力比比較部における前記比較の結果に応じて、前記信号選択部によって選択された復調信号または前記信号合成部によって合成された復調信号のうち、いずれかの復調信号を出力する復調信号出力部とを備え、
前記電力比比較部は、前記第２のゲイン調整量に対応する係数と前記第１の搬送波電力との積と、前記第１のゲイン調整量に対応する係数と前記第２の搬送波電力との積との比を前記電力比として演算して、当該電力比と前記所定のしきい値とを比較するように構成されてなるダイバーシチ受信装置。
【請求項３】
第１の受信信号の電力を所定の電力レベルとなるように調整する第１のゲイン調整量に対応する信号を出力する第１のゲイン検出部、および前記第１の受信信号に含まれる基準信号に基づいて当該第１の受信信号の伝送路特性を推定した結果に対応する第１の推定値電力を出力する第１の推定値電力演算部を有して構成され、前記第１のゲイン調整量に応じて電力レベルを調整された前記第１の受信信号を復調して第１の復調信号を出力する第１の復調経路と、
第２の受信信号の電力を所定の電力レベルとなるように調整する第２のゲイン調整量に対応する信号を出力する第２のゲイン検出部、および前記第２の受信信号に含まれる基準信号に基づいて当該第２の受信信号の伝送路特性を推定した結果に対応する第２の推定値電力を出力する第２の推定値電力演算部を有して構成され、前記第２のゲイン調整量に応じて電力レベルを調整された前記第２の受信信号を復調して第２の復調信号を出力する第２の復調経路と、
前記第１のゲイン検出部から出力された信号、および前記第２のゲイン検出部から出力された信号に応じて、予め設定された複数のしきい値のうちの一のしきい値を出力するしきい値変換テーブルと、
前記第１の推定値電力と前記第２の推定値電力との電力比と、前記しきい値変換テーブルから出力されたしきい値とを比較する電力比比較部と、
前記第１の復調信号または前記第２の復調信号のうち、受信電力対雑音電力比が大きい方の復調信号を選択する信号選択部と、
前記第１の復調信号と前記第２の復調信号とを等利得で合成する信号合成部と、
前記電力比比較部における前記比較の結果に応じて、前記信号選択部によって選択された復調信号、または前記信号合成部によって合成された復調信号のうち、いずれかの復調信号を出力する復調信号出力部とを備えるダイバーシチ受信装置。
【請求項４】
複数の搬送波成分を含む第１の受信信号の電力を所定の電力レベルとなるように調整する第１のゲイン調整量に対応する信号を出力する第１のゲイン検出部、および前記第１の受信信号に含まれる各搬送波成分の電力である第１の搬送波電力を出力する第１の搬送波電力演算部を有して構成され、前記第１のゲイン調整量に応じて電力レベルを調整された前記第１の受信信号を復調して第１の復調信号を出力する第１の復調経路と、
複数の搬送波成分を含む第２の受信信号の電力を所定の電力レベルとなるように調整する第２のゲイン調整量に対応する信号を出力する第２のゲイン検出部、および前記第２の受信信号に含まれる各搬送波成分の電力である第２の搬送波電力を出力する第２の搬送波電力演算部を有して構成され、前記第２のゲイン調整量に応じて電力レベルを調整された前記第２の受信信号を復調して第２の復調信号を出力する第２の復調経路と、
前記第１のゲイン検出部から出力された信号、および前記第２のゲイン検出部から出力された信号に応じて、予め設定された複数のしきい値のうちの一のしきい値を出力するしきい値変換テーブルと、
前記第１の搬送波電力と前記第２の搬送波電力との電力比と、前記しきい値変換テーブルから出力されたしきい値とを比較する電力比比較部と、
前記第１の復調信号または前記第２の復調信号のうち、受信電力対雑音電力比が大きい方の復調信号を選択する信号選択部と、
前記第１の復調信号と前記第２の復調信号とを等利得で合成する信号合成部と、
前記電力比比較部における前記比較の結果に応じて、前記信号選択部によって選択された復調信号、または前記信号合成部によって合成された復調信号のうち、いずれかの復調信号を出力する復調信号出力部とを備えるダイバーシチ受信装置。
【請求項５】
前記しきい値変換テーブルに予め設定されるしきい値は、
前記第１の復調信号と前記第２の復調信号とを等利得で合成して得られる復調信号の受信電力対雑音電力比と、前記第１の復調信号の受信電力対雑音電力比または前記第１の復調信号の受信電力対雑音電力比のうち、大きい方の受信電力対雑音比とが等しくなる条件において決定される値、
および、前記第１のゲイン検出部から出力される信号ならびに前記第２のゲイン検出部から出力される信号に基づいて設定されることを特徴とする請求項３または４に記載のダイバーシチ受信装置。
【請求項６】
第１の受信信号の電力を所定の電力レベルとなるように調整する第１のゲイン調整量に対応する信号を出力する第１のゲイン検出部、および前記第１の受信信号に含まれる基準信号に基づいて当該第１の受信信号の伝送路特性を推定した結果に対応する第１の推定値電力を出力する第１の推定値電力演算部を有して構成され、前記第１のゲイン調整量に応じて電力レベルを調整された前記第１の受信信号を復調して第１の復調信号を出力する第１の復調経路と、
第２の受信信号の電力を所定の電力レベルとなるように調整する第２のゲイン調整量に対応する信号を出力する第２のゲイン検出部、および前記第２の受信信号に含まれる基準信号に基づいて当該第２の受信信号の伝送路特性を推定した結果に対応する第２の推定値電力を出力する第２の推定値電力演算部を有して構成され、前記第２のゲイン調整量に応じて電力レベルを調整された前記第２の受信信号を復調して第２の復調信号を出力する第２の復調経路と、
前記第１の復調信号または前記第２の復調信号のうち、受信電力対雑音電力比が大きい方の復調信号を選択する信号選択部と、
前記第１の復調信号と前記第２の復調信号とを等利得で合成する信号合成部と、
前記信号選択部によって選択された復調信号、または前記信号合成部によって合成された復調信号のうち、いずれかの復調信号を出力する復調信号出力部と、
前記第１の復調経路または前記第２の復調経路から出力された後、前記復調信号出力部に入力される前の前記第１の復調信号または前記第２の復調信号を誤り訂正した結果得られる誤り数または誤り率を出力する合成前誤り訂正部と、
前記第１のゲイン検出部から出力された信号に基づいて演算される第１の電力と、前記第２のゲイン検出部から出力された信号に基づいて演算される第２の電力との差分と、第１のしきい値との比較である第１の比較、前記誤り数もしくは前記誤り率と第２のしきい値との比較である第２の比較、または前記第１の推定値電力および前記第２の推定値電力に基づいて演算される電力比と第３のしきい値との比較である第３の比較を行なう電力比比較部とを備え、
前記復調信号出力部は、前記電力比比較部における前記第１の比較の結果、前記第２の比較の結果または前記第３の比較の結果に応じて、復調信号を出力するように構成されてなるダイバーシチ受信装置。
【請求項７】
前記復調信号出力部は、
前記電力比比較部における、前記第１の比較の結果、前記差分が前記第１のしきい値よりも大きい場合であって、かつ、前記第２の比較の結果、前記第１の復調経路に対応する第１の誤り数または第１の誤り率が前記第２のしきい値よりも小さく、前記第２の復調経路に対応する第２の誤り数または第２の誤り率が前記第２のしきい値よりも大きい場合には、前記第１の復調信号を出力し、
前記電力比比較部における、前記第１の比較の結果、前記差分が前記第１のしきい値よりも大きい場合であって、かつ、前記第２の比較の結果、前記第１の誤り数または前記第１の誤り率が前記第２のしきい値よりも大きく、前記第２の誤り数または前記第２の誤り率が前記第２のしきい値よりも小さい場合には、前記第２の復調信号を出力し、
前記電力比比較部における前記第１の比較の結果、前記差分が前記第１のしきい値よりも小さい場合、前記電力比比較部における前記第１の比較の結果、前記差分が前記第１のしきい値よりも大きい場合であって、かつ前記第２の比較の結果、各復調経路に対応する誤り数または誤り率の全てが前記第２のしきい値よりも小さい場合、または、前記電力比比較部における前記第１の比較の結果、前記差分が前記第１のしきい値よりも大きい場合であって、かつ前記第２の比較の結果、各復調経路に対応する誤り数または誤り率の全てが前記第２のしきい値よりも大きい場合のいずれかの場合には、前記第３の比較の結果に応じて復調信号を出力するように構成されてなる請求項６に記載のダイバーシチ受信装置。
【請求項８】
前記復調信号出力部から出力された復調信号を誤り訂正した結果得られる誤り数または誤り率を出力する誤り訂正部を更に備え、
前記電力比比較部は、前記第１の比較、前記第２の比較、前記第３の比較、または前記誤り訂正部から出力された誤り数もしくは誤り率と第４のしきい値との比較である第４の比較を行ない、
前記復調信号出力部は、電力比比較部における前記第１の比較の結果、前記第２の比較の結果、前記第３の比較の結果または前記第４の比較の結果に応じて復調信号を出力するように構成されてなる請求項６に記載のダイバーシチ受信装置。
【請求項９】
前記復調信号出力部は、
前記電力比比較部における、前記第１の比較の結果、前記差分が前記第１のしきい値よりも大きい場合であって、かつ、前記第２の比較の結果、前記第１の復調信号に対応する誤り数または誤り率が第２のしきい値よりも小さく、前記復調信号出力部から出力された復調信号に対応する誤り数または誤り率が第３のしきい値よりも大きく、前記第１の電力が前記第２の電力以上の場合には、第１の復調信号を出力し、
前記電力比比較部における、第１の比較の結果、前記差分が第１のしきい値よりも大きい場合であって、かつ、前記第２の比較の結果、第１の復調信号に対応する誤り数または誤り率が第２のしきい値よりも小さく、前記復調信号出力部から出力された復調信号に対応する誤り数または誤り率が第３のしきい値よりも大きく、前記第１の電力が前記第２の電力よりも小さい場合には、第２の復調信号を出力し、
前記電力比比較部における前記第１の比較の結果、前記差分が第１のしきい値よりも小さい場合、前記電力比比較部における前記第１の比較の結果、前記差分が前記第１のしきい値よりも大きい場合であって、かつ前記第２の比較の結果、前記第１の復調信号に対応する前記誤り数または前記誤り率が前記第２のしきい値よりも大きい場合、または、前記電力比比較部における前記第１の比較の結果、前記差分が前記第１のしきい値よりも大きい場合であり、前記第２の比較の結果、前記第１の復調信号に対応する誤り数または誤り率が前記第２のしきい値よりも小さい場合であって、かつ前記誤り訂正部から出力された誤り数または誤り率が第４のしきい値よりも小さい場合のいずれかの場合には、第３の比較の結果に応じて復調信号を出力するように構成されてなる請求項８に記載のダイバーシチ受信装置。
【請求項１０】
前記電力比比較部のしきい値は、前記第１の復調信号と前記第２の復調信号とを等利得で合成して得られる復調信号の受信電力対雑音電力比と、前記第１の復調信号に対応する前記受信電力対雑音電力比、または前記第２の復調信号に対応する前記受信電力対雑音電力比のうち、値が大きい受信電力対雑音比とが等しくなる条件において決定されることを特徴とする請求項１または２に記載のダイバーシチ受信装置。
【請求項１１】
前記電力比比較部における第１のしきい値は、前記第１の復調信号と前記第２の復調信号とを等利得で合成して得られる復調信号の受信電力対雑音電力比と、前記第１の復調信号に対応する前記受信電力対雑音電力比、または前記第２の復調信号に対応する前記受信電力対雑音電力比のうち、値が大きい受信電力対雑音比とが等しくなる条件において決定されることを特徴とする請求項６、７、８または９のいずれかに記載のダイバーシチ受信装置。
【請求項１２】
第１の受信信号の電力を所定の電力レベルとなるように調整する第１のゲイン調整量に対応する信号を出力する第１のゲイン検出ステップ、および前記第１の受信信号に含まれる基準信号に基づいて当該第１の受信信号の伝送路特性を推定した結果に対応する第１の推定値電力を出力する第１の推定値電力演算ステップを有し、前記第１のゲイン調整量に応じて電力レベルを調整された前記第１の受信信号を復調して第１の復調信号を出力する第１の復調ステップと、
第２の受信信号の電力を所定の電力レベルとなるように調整する第２のゲイン調整量に対応する信号を出力する第２のゲイン検出ステップ、および前記第２の受信信号に含まれる基準信号に基づいて当該第２の受信信号の伝送路特性を推定した結果に対応する第２の推定値電力を出力する第２の推定値電力演算ステップを有し、前記第２のゲイン調整量に応じて電力レベルを調整された前記第２の受信信号を復調して第２の復調信号を出力する第２の復調ステップと、
前記第１のゲイン調整量、前記第２のゲイン調整量、前記第１の推定値電力および前記第２の推定値電力に基づいて電力比を演算して、当該電力比と所定のしきい値とを比較する電力比比較ステップと、
前記第１の復調信号または前記第２の復調信号のうち、受信電力対雑音電力比が大きい方の復調信号を選択する信号選択ステップと、
前記第１の復調信号と前記第２の復調信号とを等利得で合成する信号合成ステップと、
前記電力比比較ステップにおける前記比較の結果に応じて、前記信号選択ステップにおいて選択された復調信号、または前記信号合成ステップにおいて合成された復調信号のうち、いずれかの復調信号を出力する復調信号出力ステップとを含み、
前記電力比比較ステップにおいて、前記第２のゲイン調整量に対応する係数と前記第１の推定値電力との積と、前記第１のゲイン調整量に対応する係数と前記第２の推定値電力との積との比を前記電力比として演算して、当該電力比と前記所定のしきい値とを比較するダイバーシチ受信方法。
【請求項１３】
複数の搬送波成分を含む第１の受信信号の電力を所定の電力レベルとなるように調整する第１のゲイン調整量に対応する信号を出力する第１のゲイン検出ステップ、および前記第１の受信信号に含まれる各搬送波成分の電力である第１の搬送波電力を出力する第１の搬送波電力演算ステップを有し、前記第１のゲイン調整量に応じて電力レベルを調整された前記第１の受信信号を復調して第１の復調信号を出力する第１の復調ステップと、
複数の搬送波成分を含む第２の受信信号の電力を所定の電力レベルとなるように調整する第２のゲイン調整量に対応する信号を出力する第２のゲイン検出ステップ、および前記第２の受信信号に含まれる各搬送波成分の電力である第２の搬送波電力を出力する第２の搬送波電力演算ステップを有し、前記第２のゲイン調整量に応じて電力レベルを調整された前記第２の受信信号を復調して第２の復調信号を出力する第２の復調ステップと、
前記第１の搬送波電力、前記第２の搬送波電力、前記第１のゲイン調整量および前記第２のゲイン調整量に基づいて電力比を演算して、当該電力比と所定のしきい値とを比較する電力比比較ステップと、
前記第１の復調信号または第２の復調信号のうち、受信電力対雑音電力比が大きい方の復調信号を選択する信号選択ステップと、
前記第１の復調信号と前記第２の復調信号とを等利得で合成する信号合成ステップと、
前記電力比比較ステップにおける前記比較の結果に応じて、前記信号選択ステップにおいて選択された復調信号、または前記信号合成ステップにおいて合成された復調信号のうち、いずれかの復調信号を出力する復調信号出力ステップとを含み、
前記電力比比較ステップにおいて、前記第２のゲイン調整量に対応する係数と前記第１の搬送波電力との積と、前記第１のゲイン調整量に対応する係数と前記第２の搬送波電力との積との比を前記電力比として演算して、当該電力比と前記所定のしきい値とを比較するダイバーシチ受信方法。
【請求項１４】
第１の受信信号の電力を所定の電力レベルとなるように調整する第１のゲイン調整量に対応する信号を出力する第１のゲイン検出ステップ、および前記第１の受信信号に含まれる基準信号に基づいて当該第１の受信信号の伝送路特性を推定した結果に対応する第１の推定値電力を出力する第１の推定値電力演算ステップを有し、前記第１のゲイン調整量に応じて電力レベルを調整された前記第１の受信信号を復調して第１の復調信号を出力する第１の復調ステップと、
第２の受信信号の電力を所定の電力レベルとなるように調整する第２のゲイン調整量に対応する信号を出力する第２のゲイン検出ステップ、および前記第２の受信信号に含まれる基準信号に基づいて当該第２の受信信号の伝送路特性を推定した結果に対応する第２の推定値電力を出力する第２の推定値電力演算ステップを有し、前記第２のゲイン調整量に応じて電力レベルを調整された前記第２の受信信号を復調して第２の復調信号を出力する第２の復調ステップと、
前記第１のゲイン検出ステップにおいて出力された信号、および前記第２のゲイン検出ステップにおいて出力された信号に応じて、予め設定された複数のしきい値のうちの一のしきい値を出力するしきい値出力ステップと、
前記第１の推定値電力と前記第２の推定値電力との電力比と、前記しきい値出力ステップにおいて出力されたしきい値とを比較する電力比比較ステップと、
前記第１の復調信号または前記第２の復調信号のうち、受信電力対雑音電力比が大きい方の復調信号を選択する信号選択ステップと、
前記第１の復調信号と前記第２の復調信号とを等利得で合成する信号合成ステップと、
前記電力比比較ステップにおける前記比較の結果に応じて、前記信号選択ステップにおいて選択された復調信号、または前記信号合成ステップにおいて合成された復調信号のうち、いずれかの復調信号を出力する復調信号出力ステップとを含むダイバーシチ受信方法。
【請求項１５】
複数の搬送波成分を含む第１の受信信号の電力を所定の電力レベルとなるように調整する第１のゲイン調整量に対応する信号を出力する第１のゲイン検出ステップ、および前記第１の受信信号に含まれる各搬送波成分の電力である第１の搬送波電力を出力する第１の搬送波電力演算ステップを有し、前記第１のゲイン調整量に応じて電力レベルを調整された前記第１の受信信号を復調して第１の復調信号を出力する第１の復調ステップと、
複数の搬送波成分を含む第２の受信信号の電力を所定の電力レベルとなるように調整する第２のゲイン調整量に対応する信号を出力する第２のゲイン検出ステップ、および前記第２の受信信号に含まれる各搬送波成分の電力である第２の搬送波電力を出力する第２の搬送波電力演算ステップを有し、前記第２のゲイン調整量に応じて電力レベルを調整された前記第２の受信信号を復調して第２の復調信号を出力する第２の復調ステップと、
前記第１のゲイン検出ステップにおいて出力された信号、および前記第２のゲイン検出ステップにおいて出力された信号に応じて、予め設定された複数のしきい値のうちの一のしきい値を出力するしきい値出力ステップと、
前記第１の搬送波電力と前記第２の搬送波電力との電力比と、前記しきい値変換テーブルから出力されたしきい値とを比較する電力比比較ステップと、
前記第１の復調信号または前記第２の復調信号のうち、受信電力対雑音電力比が大きい方の復調信号を選択する信号選択ステップと、
前記第１の復調信号と前記第２の復調信号とを等利得で合成する信号合成ステップと、
前記電力比比較ステップにおける前記比較の結果に応じて、前記信号選択ステップにおいて選択された復調信号、または前記信号合成ステップにおいて合成された復調信号のうち、いずれかの復調信号を出力する復調信号出力ステップとを含むダイバーシチ受信方法。
【請求項１６】
第１の受信信号の電力を所定の電力レベルとなるように調整する第１のゲイン調整量に対応する信号を出力する第１のゲイン検出ステップ、および前記第１の受信信号に含まれる基準信号に基づいて当該第１の受信信号の伝送路特性を推定した結果に対応する第１の推定値電力を出力する第１の推定値電力演算ステップを有し、前記第１のゲイン調整量に応じて電力レベルを調整された前記第１の受信信号を復調して第１の復調信号を出力する第１の復調ステップと、
第２の受信信号の電力を所定の電力レベルとなるように調整する第２のゲイン調整量に対応する信号を出力する第２のゲイン検出ステップ、および前記第２の受信信号に含まれる基準信号に基づいて当該第２の受信信号の伝送路特性を推定した結果に対応する第２の推定値電力を出力する第２の推定値電力演算ステップを有し、前記第２のゲイン調整量に応じて電力レベルを調整された前記第２の受信信号を復調して第２の復調信号を出力する第２の復調ステップと、
前記第１の復調信号または前記第２の復調信号のうち、受信電力対雑音電力比が大きい方の復調信号を選択する信号選択ステップと、
前記第１の復調信号と前記第２の復調信号とを等利得で合成する信号合成ステップと、
前記信号選択ステップにおいて選択された復調信号、または前記信号合成ステップにおいて合成された復調信号のうち、いずれかの復調信号を出力する復調信号出力ステップと、
前記第１の復調ステップまたは前記第２の復調ステップにおいて出力された後、前記復調信号出力ステップに入力される前の前記第１の復調信号または前記第２の復調信号を誤り訂正した結果得られる誤り数または誤り率を出力する合成前誤り訂正ステップと、
前記第１のゲイン検出ステップにおいて出力された信号に基づいて演算される第１の電力と、前記第２のゲイン検出ステップにおいて出力された信号に基づいて演算される第２の電力との差分と、第１のしきい値との比較である第１の比較、前記誤り数もしくは前記誤り率と第２のしきい値との比較である第２の比較、または前記第１の推定値電力および前記第２の推定値電力に基づいて演算される電力比と第３のしきい値との比較である第３の比較を行なう電力比比較ステップとを含み、
前記復調信号出力ステップにおいて、前記電力比比較ステップにおける前記第１の比較の結果、前記第２の比較の結果または前記第３の比較の結果に応じて、復調信号を出力するダイバーシチ受信方法。
【発明の詳細な説明】
【０００１】
技術分野
この発明は、複数の復調経路を有するダイバーシチ受信装置およびその受信方法に関する。
【０００２】
背景技術
従来の一般的なダイバーシチ受信装置は、選択ダイバーシチ（以下、選択方式のダイバーシチともいう。）と称されており、２つの復調経路の各々における受信信号の搬送波に対して、まず各々の受信信号に対応する受信電力の推定値を各時点で比較し、当該推定値が大きい方の受信信号を選択して出力していた。つまり、各時点における前記２つの受信信号のうち、受信状態が良い方の受信信号を選択して出力し、受信状態が悪い方の受信信号は利用しないものであった。従って、各時点においては、２つの復調経路の各々における受信信号のいずれかから得られる個々の受信電力よりも良い受信性能は得ることができなかった。
【０００３】
これに対して、さらに受信性能を改善するために、２系統の受信信号を合成することが考えられている。
例えば、２つの復調経路の各々における受信信号（または、当該受信信号を復調して得られる復調信号）に対応する受信電力（推定値電力）の電力比を演算し、当該電力比に応じた重み係数を生成し、当該重み係数を各々の受信電力に乗ずる回路を設けて、当該回路により重み付け合成する最大比合成方式のダイバーシチ受信装置が知られている。
【０００４】
最大比合成方式のダイバーシチ受信装置は、例えば、「地上デジタルＴＶ放送のダイバーシチ受信による性能改善」、関隆史、他１名著、（社）映像情報メディア学会技術報告、２００１年５月２５日、Vol.25、No.34、pp.1-6、ROFT2001-54(May, 2001)に示されるように、選択ダイバーシチ方式のダイバーシチ受信装置と同様にマルチパス歪みを改善できるだけでなく、熱雑音に対する伝送特性も改善でき、例えば、瞬時受信電力対雑音電力比（Ｃａｒｒｉｅｒ  ｔｏ  Ｎｏｉｓｅ  ｐｏｗｅｒ  Ｒａｔｉｏ、以下、単にＣＮＲともいう。）も改善できることが知られている。
【０００５】
また、受信性能を改善するために２つの復調経路の各々における受信信号を合成するダイバーシチ方式の他の例として、等利得合成方式のダイバーシチ受信装置が知られている。等利得合成方式は、２つの受信信号を常に等利得で合成する合成方式であり、例えば、２つの復調経路の各々における受信信号（または、当該受信信号を復調して得られる復調信号）に対応する受信電力（推定値電力）とは無関係に、常に２つの復調経路の各々における信号の平均値を合成信号として出力するものである。ダイバーシチ受信装置の効果について、一般的に等利得合成方式は、選択方式のダイバーシチ受信装置よりも大きく、最大比合成方式のものよりも小さいことが知られているが、逆に、２つの復調経路の各々における受信信号（または当該受信信号を復調して得られる復調信号。）の差（または各信号に対応するＣＮＲの差。）が大きくなった場合には、選択ダイバーシチ方式よりも受信性能が低下する場合がある。
【０００６】
従来のダイバーシチ受信装置は、例えば、選択方式のダイバーシチ受信装置の場合には、各々の復調経路の受信信号のいずれかをそのまま選択して用いるため、回路規模は小さいが、より受信性能を改善することが難しいという問題があった。
【０００７】
また、等利得合成方式のダイバーシチ受信装置の場合は、追加される回路は単純な平均化回路のみであるので比較的回路規模が小規模であり、選択方式のダイバーシチ受信装置よりは受信状態の改善ができるものの、最大比合成方式のダイバーシチ受信装置よりは受信状態の改善ができないという問題があった。さらに、２つの復調経路の各々における受信信号のＣＮＲの差が大きいと選択方式のダイバーシチ受信装置よりも受信性能が低下するという問題があった。
【０００８】
そして、最大比合成方式のダイバーシチ受信装置は、選択方式のダイバーシチ受信装置や等利得合成方式のダイバーシチ受信装置よりも受信性能を改善できるが、前記したように各々の受信電力（推定値電力）の比に応じた重み係数を生成し、さらに、その各重み係数を各々の受信電力に乗ずる回路が必要なことから、回路規模が大規模になってしまうという問題があった。
【０００９】
本発明は前記のような問題を解決するためになされたものであって、回路規模が小さく、最大比合成方式のダイバーシチ受信装置に近いレベルまで受信性能を改善できるダイバーシチ受信装置を提供することを目的とする。
【００１０】
発明の開示
本発明のダイバーシチ受信装置は、第１の受信信号の電力を所定の電力レベルとなるように調整する第１のゲイン調整量に対応する信号を出力する第１のゲイン検出部、および第１の受信信号に含まれる基準信号に基づいて当該第１の受信信号の伝送路特性を推定した結果に対応する第１の推定値電力を出力する第１の推定値電力演算部を有して構成され、第１のゲイン調整量に応じて電力レベルを調整された第１の受信信号を復調して第１の復調信号を出力する第１の復調経路と、第２の受信信号の電力を所定の電力レベルとなるように調整する第２のゲイン調整量に対応する信号を出力する第２のゲイン検出部、および第２の受信信号に含まれる基準信号に基づいて当該第２の受信信号の伝送路特性を推定した結果に対応する第２の推定値電力を出力する第２の推定値電力演算部を有して構成され、第２のゲイン調整量に応じて電力レベルを調整された第２の受信信号を復調して第２の復調信号を出力する第２の復調経路と、第１のゲイン調整量、第２のゲイン調整量、第１の推定値電力および第２の推定値電力に基づいて電力比を演算して、当該電力比と所定のしきい値とを比較する電力比比較部と、第１の復調信号または第２の復調信号のうち、受信電力対雑音電力比が大きい方の復調信号を選択する信号選択部と、第１の復調信号と第２の復調信号とを等利得で合成する信号合成部と、電力比比較部における比較の結果に応じて、信号選択部によって選択された復調信号、または信号合成部によって合成された復調信号のうち、いずれかの復調信号を出力する復調信号出力部とを備え、電力比比較部は、第２のゲイン調整量に対応する係数と第１の推定値電力との積と、第１のゲイン調整量に対応する係数と第２の推定値電力との積との比を電力比として演算して、当該電力比と所定のしきい値とを比較するように構成されてなる。
【００１１】
本発明のダイバーシチ受信方法では、選択方式のダイバーシチと等利得合成方式のダイバーシチを各復調経路における受信信号に対応する電力に応じて搬送波成分ごとに適応的に切り替えるようにしたので、従来の選択合成方式のみを実施するダイバーシチ受信方法や、等利得合成方式のみを実施するダイバーシチ受信方法に比べて、ダイバーシチ効果を大きくすることが可能となり、受信性能を向上することができ、最大比合成方式のダイバーシチを実施する場合に比べて小規模な回路でダイバーシチ効果の大きいダイバーシチ受信装置を実現することができる。
【００１２】
発明を実施するための最良の形態
以下、実施の形態の説明においては、当該ダイバーシチ受信装置において、直交周波数分割多重（Orthogonal  Frequency  Division  Multiplexing、以下、ＯＦＤＭと記載する。）信号を受信する場合について説明する。そして、以下、実施の形態の説明に先立ちＯＦＤＭ方式の伝送技術、およびダイバーシチ技術について説明する。
【００１３】
ＯＦＤＭ方式の伝送（送受信）技術は、互いの周波数が直交する複数の搬送波によって情報を変調および多重して送信し、受信側では逆の処理を実施して復調する送受信方式であり、放送や通信の分野で特に実用化が進んでいる。
【００１４】
ＯＦＤＭ方式の伝送では、まず送信時に、送信するデータを複数の搬送波に割り振り、各搬送波においてＱＰＳＫ（Quadrature Phase Shift Keying）方式やＱＡＭ（Quadrature Amplitude Modulation）方式、またはＤＱＰＳＫ（DifferentialEncoded Quadrature Phase Shift Keying）方式等でデジタル変調される。また、伝送パラメータや伝送制御に関する付加情報、および、既知データが変調された連続パイロット搬送波成分は、特定の搬送波を用いてＤＢＰＳＫ（Differential  Binary  Phase  Shift  Keying）やＢＰＳＫ（Binary  Phase  Shift  Keying）方式でデジタル変調されてから、これらが多重化され、その後、ＯＦＤＭ信号は所望の送信周波数に周波数変換されて伝送される。
【００１５】
具体的には、送信時に送信する伝送データが各搬送波の変調方式に応じてマッピングされ、これらが逆離散フーリエ変換される。次に、逆離散フーリエ変換後の信号の最後部が信号の先頭にコピーされる。この部分はガードインターバルと呼ばれ、こうすることによって、ガードインターバル長以下の遅延時間を有する遅延波があっても、受信側でシンボル間干渉することなく信号を再生できるようになる。
【００１６】
ＯＦＤＭ方式では全ての搬送波は互いに直交性を有するため、受信側で搬送波周波数が正しく再生された場合、送信データを正しく再生することができる。しかし、受信側の搬送波周波数が実際の周波数に対して誤差を含んでいる場合、搬送波間で干渉が起こり、送信データを誤って再生する確率が増大して伝送特性が劣化する。したがって、ＯＦＤＭ方式では、受信側でいかに正しく搬送波周波数を再生するかが非常に重要な課題となる。
【００１７】
ＯＦＤＭ信号を受信する復調装置では、一般的に入力するＯＦＤＭ方式の複素デジタル信号を直交復調してベースバンド帯域に周波数変換し、ガードインターバルを除去して時間ドメイン信号とし、その時間ドメイン信号をフーリエ変換して周波数ドメイン信号としてから検波することで復調している。
【００１８】
ＯＦＤＭ方式における各搬送波は、ＱＰＳＫや多値ＱＡＭなどの変調方式に従ってマッピングされた送信データを伝送しており、前記搬送波には周波数および時間方向に周期的に既知のパイロット搬送波が挿入されているとする。例えば、日本の地上波デジタルＴＶ放送方式では、スキャッタードパイロットが周期的に挿入されており、ＯＦＤＭ受信機では当該スキャッタードパイロットをもとに伝送路の特性を推定して各搬送波の復調を行っている。
【００１９】
また、ダイバーシチ技術は、前記したようにアンテナからＯＦＤＭ復調回路に至る復調経路を複数（少なくとも２経路）有し、単独の復調経路の場合よりも受信性能を改善するものである。一般に、マルチパス伝送路やレイリーフェージング伝送路などの劣悪な伝送路環境下で信号を受信する場合に、空間ダイバーシチを実施することによって、信号復調後の誤り率を減少させ受信性能を向上するものである。
【００２０】
実施の形態１．
図１は、実施の形態１におけるダイバーシチ受信装置を表すブロック図である。
図１のダイバーシチ受信装置は、ＯＦＤＭ信号の復調経路として、復調経路Ａおよび復調経路Ｂの２つの復調経路を有する。復調経路Ａは、第１アンテナ１１、第１チューナ１２、第１ＡＧＣ（Ａｕｔｏｍａｔｉｃ  Ｇａｉｎ  Ｃｏｎｔｏｒｏｌ：自動利得調整）部１３、第１Ａ／Ｄ（アナログ／デジタル変換）部１４、および第１ＯＦＤＭ復調部１５を有する。一方、復調経路Ｂは、第２アンテナ２１、第２チューナ２２、第２ＡＧＣ部２３、第２Ａ／Ｄ部２４、および第２ＯＦＤＭ復調部２５を有する。
【００２１】
図１に記載のダイバーシチ受信装置において、第１アンテナ１１および第２アンテナ２１は、送信用に変調された無線信号を受信する。第１チューナ部１２および第２チューナ部２２は、受信した無線信号を所定の周波数帯域に周波数変換する。
第１ＡＧＣ部１３および第２ＡＧＣ部２３は、周波数変換されたアナログ信号の利得レベルを調節する。第１ＡＧＣ部１３および第２ＡＧＣ部２３によって前記利得レベルの調整を行なうことで、後段の第１および第２の復調部４６、５６において最適な信号レベルが得られる。一般的に、アンテナ１１、２１から入力された受信信号の信号電力は、例えば、アンテナ利得や伝送路状況などによって変化するため、ＡＧＣ回路１３、２３によりゲイン調整をする方がよい。
【００２２】
第１Ａ／Ｄ部１４および第２Ａ／Ｄ部２４は、周波数変換および利得調整が行なわれたアナログ信号をデジタル信号に変換し、第１受信信号および第２受信信号をそれぞれ第１ＯＦＤＭ信号復調部１５および第２ＯＦＤＭ復調部２５に出力する。
第１ＯＦＤＭ復調部１５および第２ＯＦＤＭ復調部２５はそれぞれ、第１受信信号および第２受信信号を復調してデジタル形式の復調信号を出力する。
【００２３】
電力比比較部３１は、第１ＯＦＤＭ復調部１５および第２ＯＦＤＭ復調部２５から各復調経路Ａ、Ｂの受信信号における搬送波毎に演算される伝送路推定値の電力（以下、推定値電力Ｐｅｓともいう。）に対応する信号が入力される。
そして、電力比比較部３１は、推定値電力Ｐｅｓのうち、復調経路Ａに対応する推定値電力Ｐｅｓ＿Ａまたは、復調経路Ｂに対応する推定値電力Ｐｅｓ＿Ｂのどちらが大きいかを判定する。さらに、２つの推定値電力Ｐｅｓ＿Ａ、Ｐｅｓ＿Ｂのうち、値の大きい推定値電力を、値の小さい推定値電力で除算して得られる推定値電力比Ｐｅｓ＿Ｒと、所定のしきい値（本実施の形態１においては当該しきい値を電力比しきい値と記載する。）とを比較して、当該比較の結果に対応する信号を搬送波毎に選択合成／等利得合成選択部３３へと出力する。
【００２４】
具体的には、推定値電力比Ｐｅｓ＿Ｒが前記電力比しきい値よりも小さい場合、電力比比較部３１は、後述する信号等利得合成部６２において得られる復調信号を出力する旨の信号を選択合成／等利得合成選択部３３に出力する。一方、推定値電力比Ｐｅｓ＿Ｒが前記電力比しきい値よりも大きい場合、電力比比較部３１は後述する信号選択部６２において、２つの推定値電力Ｐｅｓ＿Ａ、Ｐｅｓ＿Ｂのうち値が大きい方の推定値電力Ｐｅｓ＿Ａ、Ｐｅｓ＿Ｂに対応する復調信号を選択する旨の信号を選択合成／等利得合成選択部３３に出力する。
言い換えれば、電力比比較部３１では、復調経路Ａにおける第１受信信号に対応する第１の電力である第１の推定値電力、および復調経路Ｂにおける第２受信信号に対応する第２の電力である第２の推定値電力に基づいて電力比Ｐｅｓ＿Ｒを演算して、当該電力比Ｐｅｓ＿Ｒと所定のしきい値（電力比しきい値）とを比較している。
【００２５】
選択合成／等利得合成選択部３３は、電力比比較部３１から入力された信号に応じて、第１ＯＦＤＭ復調部１５および第２ＯＦＤＭ復調部２５から出力された復調信号のうち、何れかの復調信号を選択して得られる復調信号（以下、選択復調信号ともいう。）を出力する（選択方式のダイバーシチ）か、あるいは、双方の復調信号を等利得で合成して得られる復調信号（以下、合成復調信号ともいう。）を出力する（等利得合成方式のダイバーシチ）かを選択する。したがって、本実施の形態１のダイバーシチ受信装置においては、当該選択合成／等利得合成選択部３３によって最終的な復調信号が出力される。すなわち、選択合成／等利得合成選択部３３は、ダイバーシチ受信装置における復調信号出力部にあたる。
【００２６】
言い換えれば、選択合成／等利得合成選択部３３は、電力比比較部３１の出力に基づき、第１復調部４６からの単独出力、第２復調部５６からの単独出力、第１復調部４６の出力と第２復調部５６の出力を等利得で合成して得られる合成出力のうちのいずれかを出力する。
従って、選択合成／等利得合成選択部３３の出力である選択合成／等利得合成信号は、搬送波成分ごとに、第１および第２の受信信号に対応する復調信号のうちのいずれか一方を選択することによって得られた復調信号、または各復調経路Ａ、Ｂに対応する受信信号の推定値電力比Ｐｅｓ＿Ｒに応じて等利得合成された復調信号のいずれか一方の復調信号を適応的に選択して得られる信号であり、２つの復調経路Ａ、Ｂによるダイバーシチ効果によって誤り率が減少した信号となる。
【００２７】
誤り訂正部３４は、選択合成／等利得合成選択部３３から出力された選択合成／等利得合成信号に対して誤り訂正処理を実施して、当該誤り訂正処理後の復調信号を出力する。
【００２８】
次に、第１ＯＦＤＭ復調部１５および第２ＯＦＤＭ復調部２５の内部構成を説明する。第１ＯＦＤＭ復調部１５および第２ＯＦＤＭ復調部２５の内部には、ガードインターバル（ＧＩ）を除去するＧＩ除去部４１、５１が設けられる。第１ＧＩ除去部４１は、第１受信信号を入力とし、ＯＦＤＭのシンボルタイミングを再生して第１受信信号に付加されているガードインターバルを除去する。また、第２ＧＩ除去部５１は第２受信信号を入力とし、ＯＦＤＭのシンボルタイミングを再生して第２受信信号に付加されているガードインターバルを除去する。
【００２９】
第１ＦＦＴ部４２および第２ＦＦＴ部５２は、入力された時間ドメイン信号を高速フーリエ変換（Fast Fourier Transform、以下、ＦＦＴと記載する。）により変換して周波数ドメイン信号を出力する。なお、周波数ドメイン信号とは第１受信信号または第２受信信号の各搬送波成分に対応する信号である。
【００３０】
第１伝送路推定部４３および第２伝送路推定部５３は、ＦＦＴ部４２、５２から出力された周波数ドメイン信号に含まれるパイロット搬送波成分を抽出して各アンテナ１１、２１からの受信信号に対する伝送路の特性の推定を行う。例えば、日本の地上波デジタルＴＶ放送方式の場合は、図２に示すようにスキャッタードパイロットが周期的に挿入されており、受信機ではこれらをもとにして伝送路の特性を推定して各搬送波の復調を行っている。一般的な伝送路推定方法としては、例えば、抽出したスキャッタードパイロットを各々既知データで除算し、その結果を時間方向と周波数方向に内挿することにより、各搬送波成分における伝送路の特性を推定することができる。
【００３１】
第１推定値電力演算部４４および第２推定値電力演算部５４は、伝送路推定部４３、５３において各搬送波毎に推定された伝送路に対応する推定値電力Ｐｅｓ＿Ａ、Ｐｅｓ＿Ｂを演算して第１復調部４６、第２復調部５６、および、電力比比較部３１に出力する。このように本実施の形態では、受信信号がＯＦＤＭ変調方式によって変調されたＯＦＤＭ信号であるので、ＯＦＤＭ信号に含まれるパイロット信号（パイロット搬送波成分）を基準信号として各伝送路推定部４３、５３で伝送路特性が推定され、その各推定結果に対応する推定値電力が各推定値電力演算部４４、５４で演算され、その各推定値電力が受信電力として電力比比較部３１に入力され、電力比比較部３１で各電力の電力比が演算され、その電力比が所定のしきい値と比較されて、比較結果が選択合成／等利得合成選択部３３に出力される。
【００３２】
第１復調部４６および第２復調部５６は、ＦＦＴ部４２、５２から出力された周波数ドメイン信号を、伝送路推定部４３、５３から出力された伝送路の推定結果に対応する信号で除算することによって各搬送波成分を復調する。この処理は、周波数ドメイン信号に対して伝送路の推定結果の複素共役信号を乗算し、さらに伝送路の特性の推定結果の電力値で除算することと等価である。より具体的に説明すると、第１復調部４６は、第１ＦＦＴ部４２の出力に、第１伝送路推定部４３の出力の複素共役信号を乗算し、当該乗算の結果を第１推定値電力Ｐｅｓ＿Ａで除算する。また、第２復調部５６は、第１ＦＦＴ部５２の出力に、第２伝送路推定部５３の出力の複素共役信号を乗算し、当該乗算の結果を第２推定値電力Ｐｅｓ＿Ｂで除算する。
【００３３】
次に、選択合成／等利得合成選択部３３の内部構成を説明する。選択合成／等利得合成選択部３３は、信号選択部６１と等利得合成選択部６２とを備える。信号選択部６１は、選択方式のダイバーシチによって信号の出力を行なう部分であり、具体的には、第１ＯＦＤＭ復調部１５から出力されるの第１復調信号または第２ＯＦＤＭ復調部２５から出力される第２復調信号のうちのいずれか一方を選択して選択復調信号として出力する。
【００３４】
一方、信号等利得合成部６２は、等利得合成方式のダイバーシチによって信号の出力を行なう部分であり、第１ＯＦＤＭ復調部１５から出力された第１復調信号と第２ＯＦＤＭ復調部２５から出力された第２復調信号とを等利得で合成し合成復調信号として出力する。
【００３５】
また、選択合成／等利得合成選択部３３において、信号選択部６１と等利得合成部６２との切替えは、スイッチ手段等を設けることによって行えばよい。本実施の形態の受信信号はＯＦＤＭ信号であるので、複数の搬送波成分を含むため、復調信号出力部６８は、選択復調信号または合成復調信号のうち、いずれかの復調信号を搬送波成分ごとに出力する。また、電力比比較部３１の比較の結果による信号とは、複数の復調信号を等利得で合成して得られる復調信号の受信電力対雑音電力比と、複数の復調信号の各々に対応する受信電力対雑音比のうち、最大の受信電力対雑音電力比が等しくなる条件において決定されるしきい値と、前記した電力比の比較の結果に基づく信号である。
【００３６】
そして、選択合成／等利得合成選択部３３は、電力比比較部３１の出力に応じて、信号選択部６１によって得られる復調信号または信号等利得合成部６２によって得られる復調信号のいずれか一方を選択合成／等利得合成信号として誤り訂正部３４に出力する。
【００３７】
ここで、電力比比較部３１の出力により、信号選択部６１の復調信号および信号等利得合成部６２の復調信号のうち、いずれの復調信号を選択合成／等利得合成信号とするかを決定する方法について説明する。
【００３８】
一般的に、第１アンテナ１１と第２アンテナ２１の２つのアンテナを用いて選択方式による空間ダイバーシチ、すなわち選択ダイバーシチを行う場合、最終的に出力される復調信号の瞬時受信電力対雑音電力比（ＣＮＲ）ＳＣは、次の数式１により表される。
0003642784.tif 000002
0003642784.tif 000003
但し、(CNR)A、(CNR)B、(CNR)SCは、それぞれ復調経路Ａの搬送波に対応するＣＮＲ、復調経路Ｂの搬送波に対応するＣＮＲおよび選択合成後のＣＮＲを表し、関数max[X1,
X2]は、X1とX2のうちの大きいほうを選択して出力する関数である。また、２つのアンテナで受信する信号のそれぞれの雑音電力は等しいと仮定した。すなわち、前記仮定のもとにおいては、搬送波に対応する電力の大小が(CNR)Aおよび(CNR)Bの大小に比例する。
【００３９】
一方、等利得合成方式のダイバーシチによって最終的に出力される復調信号のＣＮＲである(CNR)EGCは、次の数式２により表される。
0003642784.tif 000004
0003642784.tif 000005
【００４０】
また、最大比合成方式のダイバーシチによって最終的に出力される復調信号のＣＮＲを(CNR)MRCとすると、(CNR)MRCは次の数式３により表される。
0003642784.tif 000006
0003642784.tif 000007
【００４１】
図３は、選択方式のダイバーシチの場合、等利得合成方式のダイバーシチの場合、および、最大比合成方式のダイバーシチの場合の各ＣＮＲについて、数式１、数式２および数式３をもとに計算機でシミュレーションした結果を示した図である。但し、図３は、(CNR)AをCNR1、(CNR)BをCNR2とし、CNR1を２０ｄＢに固定し、CNR2を０ｄＢから４０ｄＢまで変化させた場合において、各ダイバーシチから最終的に出力される復調信号に対応するＣＮＲを示したものである。なお、○は選択方式のダイバーシチの場合におけるＣＮＲ、□は等利得合成方式のダイバーシチの場合におけるＣＮＲ、★は最大比合成方式のダイバーシチの場合におけるＣＮＲを表す。
【００４２】
図３から、選択方式のダイバーシチの場合、第２の受信信号に対応するＣＮＲ２が、第１受信信号に対応するＣＮＲ１（図３においては２０ｄＢで固定。）に近い値であるときほど、ダイバーシチ効果が最大比合成方式のダイバーシチに比べて少なくなることがわかる。また、等利得合成方式のダイバーシチの場合は、選択方式のダイバーシチの場合とは逆に、ＣＮＲ２がＣＮＲ１から遠ざかるにつれて、ダイバーシチ効果が最大比合成方式のダイバーシチに比べて小さくなることがわかる。
【００４３】
したがって、ＣＮＲ１とＣＮＲ２との比に応じて、信号選択部６１によって得られる選択復調信号、または、等利得合成部６２によって得られる合成復調信号のいずれかの復調信号を選択合成／等利得合成信号とすることによってダイバーシチ効果を向上させることができることがわかる。前記した選択復調信号または合成復調信号のいずれの復調信号を選択合成／等利得合成信号とするかは、選択方式のダイバーシチによって得られるＣＮＲと等利得合成方式のダイバーシチによって得られるＣＮＲとが等しくなる場合を境界にして行えばよい。すなわち、下記数式４の条件に従って、選択復調信号と合成復調信号とを切り替えればよい。なお、数式４中の「３＋２√２」は、前記した数式１の左辺と数式２の左辺とが等しくなる場合におけるＣＮＲの比の値である。また、以下の説明においては、数式４の条件に従って、選択復調信号と合成復調信号とを切り替えることによりダイバーシチを行なうことを適応合成ダイバーシチともいう。
0003642784.tif 000008
0003642784.tif 000009
【００４４】
なお、数式４に基づいて、選択復調信号が選択された場合、信号選択部６１においては、下記数式５の条件に従って、復調経路Ａ、Ｂの各々から出力される復調信号のうち、いずれかの復調信号を選択して選択復調信号とすればよい。
0003642784.tif 000010
0003642784.tif 000011
但し、数式５において、SAは復調経路Ａを経て選択合成／等利得合成選択部３３に入力される復調信号、すなわち第１復調信号を意味し、SBは復調経路Ｂを経て選択合成／等利得合成選択部３３に入力される復調信号、すなわち第２復調信号を意味する。
【００４５】
従って、適応合成ダイバーシチとは、選択方式のダイバーシチと等利得合成方式のダイバーシチのうち、最終的に出力される復調信号に対応するＣＮＲが大きくなるようにダイバーシチを適応的に選択する方式である。
【００４６】
図４に、適応合成ダイバーシチを用いた場合および最大比合成方式のダイバーシチを用いた場合の、各ＣＮＲについて、計算機でシミュレーションした結果を示す。但し、CNR1は２０ｄＢで固定とし、CNR2を０ｄＢから４０ｄＢまで変化させた。なお、図中、△は適応合成ダイバーシチによって得られたＣＮＲ、★は最大比合成方式のダイバーシチによって得られたＣＮＲを表す。
【００４７】
図４では、選択方式のダイバーシチによって得られるＣＮＲと等利得合成方式のダイバーシチによって得られるＣＮＲとが略等しくなる点（図４においては横軸の目盛で１２ｄＢ近辺と２８ｄＢ近辺）で適応合成ダイバーシチにおける処理内容が切り替えられている。すなわち、ＣＮＲ２が０ｄＢから１２ｄＢ近辺よりも小さい場合、および２８ｄＢ近辺よりも大きい場合は選択方式のダイバーシチの場合の出力であり、１２ｄＢ近辺から２８ｄＢ近辺までの間は等利得合成方式のダイバーシチの場合の出力である。つまり、図４の場合には、横軸の目盛２０ｄＢを中心値として、＋／−８ｄＢの値をしきい値として選択合成と等利得合成を切り替えていることになる。
【００４８】
なお、図４の条件においては、横軸の目盛１２ｄＢにおけるＣＮＲ２の値、すなわち
ＣＮＲ２＝１０×ｌｏｇ１０（１０（２０／１０）／（３＋２√２））ｄＢのときにおけるＣＮＲの比の値が前記数式４中における、
（ＣＮＲ）Ａ／（ＣＮＲ）Ｂ＝３＋２√２
の場合に相当する。また、横軸の目盛２８ｄＢにおけるＣＮＲ２の値、すなわち
ＣＮＲ２＝１０×ｌｏｇ１０（１０（２０／１０）×（３＋２√２））ｄＢのときにおけるＣＮＲの比の値が前記数式４中における、
（ＣＮＲ）Ｂ／（ＣＮＲ）Ａ＝３＋２√２
の場合に相当する。
【００４９】
以上から、電力比比較部３１のしきい値は、複数の復調信号を等利得で合成して得られる復調信号の受信電力対雑音電力比と、複数の復調信号の各々に対応する受信電力対雑音電力比のうち、最大の受信電力対雑音電力比とが等しくなる条件において決定される。また、信号選択部６１は、各復調経路Ａ、Ｂから出力された復調信号の各々に対応する受信電力対雑音電力比のうち、最大の受信電力対雑音電力比の値を有する復調信号を選択して出力する。
【００５０】
上述のように、図４から、本実施の形態１で説明した適応合成ダイバーシチを用いることにより、選択方式のダイバーシチや等利得合成方式のダイバーシチを単独で用いる場合に比べて、ダイバーシチ効果を向上することができ、その効果は最大比合成方式のダイバーシチの場合と略同様であることがわかる。
【００５１】
したがって、推定値電力Ｐｅｓ＿Ａ、Ｐｅｓ＿Ｂと（ＣＮＲ）Ａ、（ＣＮＲ）Ｂとが対応関係にあることを利用して、推定値電力比Ｐｅｓ＿Ｒに対する電力比しきい値を電力比比較部３１に入力しておくことで、適応合成ダイバーシチを行なうことが可能となる。
【００５２】
このように本実施の形態１におけるダイバーシチ受信装置によれば、選択合成／等利得合成選択部３３から出力される選択合成／等利得合成信号のＣＮＲが大きくなるように、選択復調信号または合成復調信号のいずれかを搬送波成分ごとに適応的に選択合成／等利得合成信号として出力するように構成したので、従来の選択ダイバーシチ方式のみによるダイバーシチ受信装置や、等利得合成ダイバーシチ方式のみによるダイバーシチ受信装置に比べて、ダイバーシチ効果を大きくすることが可能となる。また、当該ダイバーシチ受信装置の受信性能を向上することができる。さらにまた、本実施の形態１におけるダイバーシチ受信装置は、最大比合成ダイバーシチを実施する場合に比べて小規模な回路でダイバーシチ効果の大きいダイバーシチ受信装置を実現することができる。
【００５３】
実施の形態２．
実施の形態１では、推定値電力演算部４４、５４から出力される推定値電力Ｐｅｓ＿Ａ、Ｐｅｓ＿Ｂをもとに適応合成ダイバーシチを行うように構成していた。実施の形態２では、フーリエ変換後の出力信号に基づいて搬送波成分の電力を演算し、当該演算の結果に基づいて適応合成ダイバーシチを行う場合について説明する。なお、以下の説明では、搬送波成分の電力を搬送波電力ともいい、当該搬送波電力の大きさを示す値を搬送波電力値ともいう。
【００５４】
図５は、実施の形態２におけるダイバーシチ受信装置を表すブロック図である。
図５において、第１ＯＦＤＭ復調部１５ａ、第２ＯＦＤＭ復調部２５ａ、電力比比較部３１ａ、第１搬送波電力演算部４５、第２搬送波電力演算部５５、第１推定値電力演算部４４から電力比比較部３１ａへの出力接続が無いこと、および第２推定値電力演算部５４から電力比比較部３１ａへの出力接続が無いこと以外の構成については、図１（実施の形態１）に示した構成と同様である。
【００５５】
以下、本実施の形態２におけるダイバーシチ受信装置の動作について説明する。なお、実施の形態１で示した構成と同様の構成については説明を省略する。
第１ＯＦＤＭ復調部１５ａにおける第１搬送波電力演算部４５は、復調経路Ａの周波数ドメイン信号が入力され、当該周波数ドメイン信号に対応する搬送波電力値Ｐｃ＿Ａを演算して出力する。同様に、第２ＯＦＤＭ復調部２５ａにおける第２搬送波電力演算部５５は、復調経路Ｂの周波数ドメイン信号が入力され、当該周波数ドメイン信号に対応する搬送波電力値Ｐｃ＿Ｂを演算して出力する。
【００５６】
電力比比較部３１ａは、搬送波電力値Ｐｃ＿Ａ、Ｐｃ＿Ｂ、および搬送波電力値Ｐｃ＿Ａ、Ｐｃ＿Ｂに対応する所定のしきい値が入力される。なお、本実施の形態２においては、上記した各電力の値から得られた電力比と比較される所定のしきい値を、実施の形態１と同様に電力比しきい値と記載する。
【００５７】
そして、搬送波電力値Ｐｃ＿Ａ、Ｐｃ＿Ｂのうち、どちらの搬送波電力値が大きいかを判定する。さらに、２つの搬送波電力値Ｐｃ＿Ａ、Ｐｃ＿Ｂのうち、値の大きい搬送波電力値を、値が小さい搬送波電力値で除算して得られる搬送波電力比Ｐｃ＿Ｒと、前記電力比しきい値とを比較し、当該比較の結果に対応する信号を搬送波毎に選択合成／等利得合成選択部３３へと出力する。
【００５８】
具体的には、搬送波電力比Ｐｃ＿Ｒが前記電力比しきい値よりも小さい場合、当該電力比比較部３１ａは、信号等利得合成部６２において得られる復調信号を出力する旨の信号を選択合成／等利得合成選択部３３に出力する。一方、推定値電力比Ｐｃ_Ｒが前記電力比しきい値よりも大きい場合、当該電力比比較部３１ａは、信号選択部６１において、２つの搬送波電力値Ｐｃ＿Ａ、Ｐｃ＿Ｂのうち値が大きい方の搬送波電力値Ｐｃ＿Ａ、Ｐｃ＿Ｂに対応する復調信号を選択する旨の信号を選択合成／等利得合成選択部３３に出力する。
【００５９】
選択合成／等利得合成選択部３３は、電力比比較部３１ａから入力された信号に基づいて、第１ＯＦＤＭ復調部１５ａおよび第２ＯＦＤＭ復調部２５ａからの復調信号のうち、何れかの復調信号を選択して出力する（選択方式のダイバーシチ）か、あるいは、双方の復調信号を等利得で合成して得られた復調信号を出力する（等利得合成方式のダイバーシチ）かを選択する。
【００６０】
つまり、選択合成／等利得合成選択部３３は、電力比比較部３１ａの出力に基づき、第１復調部４６からの単独出力、第２復調部５６からの単独出力、または第１復調部４６の出力と第２復調部５６の出力とを等利得で合成して得られる合成出力のうちのいずれかを出力する。
【００６１】
従って、選択合成／等利得合成選択部３３の出力である選択合成／等利得合成信号は、搬送波成分ごとに、２つの受信信号に対応する搬送波電力値Ｐｃ＿Ａ、Ｐｃ＿Ｂのうちのいずれか一方に対応する復調信号、または搬送波電力比Ｐｃ＿Ｒに応じて第１復調信号と第２復調信号とを等利得合成して得られた復調信号の、いずれか一方の復調信号を適応的に選択して得られる信号であり、２つの復調経路Ａ、Ｂによるダイバーシチ効果によって誤り率が減少した信号となる。
【００６２】
このように本実施の形態２では、実施の形態１と同様に（ＣＮＲ）Ａおよび（ＣＮＲ）Ｂと対応関係にあるフーリエ変換後の搬送波成分の電力Ｐｃ＿Ａ、Ｐｃ＿Ｂを演算し、それをもとに適応合成ダイバーシチを行なうように構成したので、伝送路推定時の推定誤差の影響を受けることなく当該適応合成ダイバーシチを行なうことが可能となり、受信装置の受信性能を向上させることができる。
【００６３】
実施の形態３．
実施の形態１および実施の形態２では、ＦＦＴ部４２、５２から出力された周波数ドメイン信号を用いて、推定値電力または搬送波電力値を求め、これらに基づいて適応合成ダイバーシチを行なうように構成していた。実施の形態３では、各アンテナ１１、２１から受信される信号の電力レベルを求め、これをもとに適応合成ダイバーシチを行う場合について説明する。
【００６４】
図６は、実施の形態３におけるダイバーシチ受信装置を表すブロック図である。
図６において、第１ＯＦＤＭ復調部１５ｂ、第２ＯＦＤＭ復調部２５ｂ、電力比比較部３１ｂ、第１ＡＧＣ部１３への入力接続、第２ＡＧＣ部２３への入力接続、第１Ａ／Ｄ部１４からの出力接続、および第２Ａ／Ｄ部２４からの出力接続以外の構成については、図１（実施の形態１）または図５（実施の形態２）に記載の構成と同様である。
【００６５】
以下、本実施の形態３におけるダイバーシチ受信装置の動作について説明する。なお、実施の形態１または実施の形態２で示した構成と同様の構成については説明を省略する。
第１ＯＦＤＭ復調部１５ｂにおける第１ゲイン検出部４７は、第１Ａ／Ｄ部１４から第１受信信号が入力され、当該第１受信信号の平均電力と所望の電力値との差を演算し、当該演算の結果に基づいて第１電力制御信号を電力比比較部３１ｂと第１ＡＧＣ部１３に出力する。同様に、第２ＯＦＤＭ復調部２５ｂにおける第２ゲイン検出部５７は、第２Ａ／Ｄ部２４から第２受信信号が入力され、当該第２受信信号の平均電力と所望の電力との差を演算し、当該演算の結果を第２電力制御信号として電力比比較部３１ｂと第２ＡＧＣ部２３に出力する。
【００６６】
なお、第１電力制御信号および第２電力制御信号は、ＡＧＣ部１３、２３において、アンテナ１１、１２によって受信された信号の増幅度を決定する信号であり、当該電力制御信号の信号レベルが大きいほど、アンテナ出力の信号電力が小さいことを表す。
【００６７】
なお、各ゲイン検出部４７，５７においては、受信信号の平均電力を演算する際の平均期間を長くすることで、ランダムな雑音による誤差が相殺されるため、最終的に得られる平均値の信頼性を高くすることができる。しかし、平均期間をあまり長くすると、受信信号の電力の時間変動の影響により、アプリケーションによっては性能の劣化を招く場合がある。したがって、受信信号の平均電力を演算する際の平均期間は、使用されるアプリケーション毎に最適な期間を設定すればよい。
【００６８】
第１受信信号および第２受信信号は、すでにゲイン調整された信号としてＯＦＤＭ復調部１５ｂ、２５ｂに入力される。そのため、例えば、各復調経路Ａ、Ｂのアンテナ利得間に差がある場合等に、各アンテナ１１、２１から受信される信号の電力レベルが異なると、第１受信信号と第２受信信号における雑音電力に差が生じる。
【００６９】
雑音電力の差は、選択合成／等利得合成選択部３３から出力される信号に対応するＣＮＲに影響する。特に、復調経路Ａ、Ｂにおける受信信号のうち、一方の受信信号のレベルが小さく、ＡＧＣ部１３、２３における増幅率を増大しなければならない場合にはダイバーシチ効果が減少する。従って、ＡＧＣ部１３、２３においてゲインを調整する前の受信信号に基づいて演算される電力比によって適応合成ダイバーシチを制御することがダイバーシチ効果の減少を抑える上で有効となる。
【００７０】
電力比比較部３１ｂは、第１ゲイン検出部４７から出力された第１電力制御信号、第２ゲイン検出部５７から出力された第２電力制御信号、および所定のしきい値が入力される。なお、本実施の形態３においては、上記した各電力の値から得られた電力比と比較される所定のしきい値を、実施の形態１および実施の形態２と同様に電力比しきい値と記載する。
【００７１】
電力比比較部３１ｂは、各ゲイン検出部４７、５７から出力された、第１電力制御信号および第２電力制御信号に基づいて、第１受信信号または第２受信信号のうち、どちらの受信信号の電力レベルが高いかを判定する。さらに、前記した２つの電力制御信号から、各電力制御信号に対応する受信信号電力ＰＡ、ＰＢを演算し、当該受信信号電力ＰＡ、ＰＢのうち、電力値の大きい受信信号電力を電力値の小さい受信信号電力で除して得られる受信信号電力比ＰＲと、前記電力比しきい値とを比較し、当該比較の結果に応じて異なる信号を搬送波毎に選択合成／等利得合成選択部３３へと出力する。
【００７２】
具体的には、受信信号電力比ＰＲが前記電力比しきい値よりも小さい場合、当該電力比比較部３１ｂは、信号等利得合成部６２において得られる復調信号を出力する旨の信号を選択合成／等利得合成選択部３３に出力する。一方、推定値電力比ＰＲが前記電力比しきい値よりも大きい場合、当該電力比比較部３１ｂは、信号選択部６１において、２つの受信信号電力ＰＡ、ＰＢのうち値が大きい方の受信信号電力ＰＡ、ＰＢに対応する復調信号を選択する旨の信号を選択合成／等利得合成選択部３３に出力する。
【００７３】
選択合成／等利得合成選択部３３は電力比比較部３１ｂから入力された信号に基づいて、第１ＯＦＤＭ復調部１５ｂおよび第２ＯＦＤＭ復調部２５ｂからの復調信号に対して、何れかの復調信号を選択して出力する（選択方式のダイバーシチ）か、あるいは、双方の復調信号を等利得で合成して得られた復調信号を出力する（等利得合成方式のダイバーシチ）かを選択する。
【００７４】
つまり、選択合成／等利得合成選択部３３は、電力比比較部３１ｂの出力に基づき、第１復調部４６からの単独出力、第２復調部５６からの単独出力、第１復調部４６の出力と第２復調部５６の出力を等利得で合成して得られる合成出力のうちのいずれかを出力する。
【００７５】
すなわち、選択合成／等利得合成選択部３３の出力である選択合成／等利得合成信号は、搬送波成分ごとに、受信信号電力比ＰＲに応じて、等利得合成ダイバーシチによって得られた復調信号、または受信信号に対応する２つの復調信号のうちのいずれか一方を選択することによって得られた復調信号のいずれか一方の復調信号を適応的に選択して得られる復調信号であり、２つの復調経路Ａ、Ｂによるダイバーシチ効果によって誤り率が減少した信号となる。
【００７６】
このように本実施の形態３におけるダイバーシチ受信装置によれば、各アンテナ１１、２１から受信される信号の電力レベルを調整する制御信号をもとに、適応合成ダイバーシチを行なうように構成したので、２つの受信信号の受信電力レベルが異なる場合であっても、ダイバーシチ効果の減少を抑えて合成することが可能となる。また、当該ダイバーシチ受信装置の受信性能を向上することができる。さらに、２つの受信信号の受信電力レベルが異なる場合であっても、ダイバーシチ効果の減少を抑えて合成することが可能となり、受信装置の受信性能を向上することができる。
【００７７】
なお、本実施の形態３においては、上述のように２つの電力制御信号から各々の信号に対応する受信信号電力を演算し、当該受信信号電力に基づいて電力比比較部３１ｂから信号を出力させたが、電力制御信号をそのまま使用して電力比比較部３１ｂから信号を出力させても良い。このとき、前述のように、アンテナ出力の信号電力が小さいほど電力制御信号は大きくなるため、電力制御信号が大きいほどＣＮＲは小さいと考える必要がある。従って、電力制御信号の比を求める際には、当該電力制御信号に対応する値の逆数の比を求め、当該逆数の比に基づいて適応合成ダイバーシチを行なう。また、信号選択部６２の出力を選択合成／等利得合成信号として用いる場合には、２つの電力制御信号のうち、小さい方の電力制御信号に対応するＯＦＤＭ復調１５ｂ、２５ｂにおける復調部４６、５６の出力を選択する必要がある。
【００７８】
実施の形態４．
実施の形態３におけるダイバーシチ受信装置では、各アンテナ１１、２１から受信される受信信号の電力レベルを求め、当該電力レベルに基づいてＯＦＤＭシンボルごとに適応合成ダイバーシチを行なうように構成していた。実施の形態４におけるダイバーシチ受信装置では、各アンテナ１１、２１から受信される信号の電力レベルと、各搬送波における伝送路推定結果に対応する信号電力をもとに適応合成ダイバーシチを行なう場合について説明する。
【００７９】
図７は、実施の形態４におけるダイバーシチ受信装置を表すブロック図である。
図７において、第１ＯＦＤＭ復調部１５ｃ、第２ＯＦＤＭ復調部２５ｃ、電力比比較部３１ｃ、第１推定値電力演算部４４から電力比比較部３１ｃへの出力接続、および第２推定値電力演算部５４から電力比比較部３１ｃへの出力接続以外の構成は、図６（実施の形態３）と同様である。また、第１推定値電力演算部４４から電力比比較部３１ｃへの出力接続、および第２推定値電力演算部５４から電力比比較部３１ｃへの出力接続は、図１（実施の形態１）と同様である。
【００８０】
次に、動作について説明する。なお、以下の説明においては、実施の形態１乃至実施の形態３で示した構成と同様の構成については説明を省略する。
電力比比較部３１ｃは、第１ゲイン検出部４７から出力された第１電力制御信号、第２ゲイン検出部５７から出力された第２電力制御信号、第１推定値電力演算部４４から出力された第１推定値電力、第２推定値電力演算部５４から出力された第２推定値電力、および所定のしきい値を入力とする。なお、本実施の形態４では、当該所定のしきい値を実施の形態１乃至実施の形態３と同様に電力比しきい値と記載する。
【００８１】
電力比比較部３１ｃは、第１推定値電力に乗じる係数を第１電力制御信号に基づいて演算する。同様に、第２推定値電力に対する係数を第１電力制御信号に基づいて演算する。そして、第１推定値電力または第２推定値電力のうち、どちらの推定値電力が大きいかを判定する。さらに、各推定値電力に係数を乗算した乗算結果のうち、値の大きい乗算結果を値の小さい乗算結果で除して得られる除算結果と電力比しきい値とを比較し、当該比較の結果に対応する信号を搬送波毎に選択合成／等利得合成選択部３３に出力する。
【００８２】
選択合成／等利得合成選択部３３は、電力比比較部３１ｃから入力された信号に応じて、第１ＯＦＤＭ復調部１５ｃおよび第２ＯＦＤＭ復調部２５ｃからの復調信号のうち、何れかの復調信号を選択して出力する（選択方式のダイバーシチ）か、あるいは、双方の復調信号を等利得で合成して得られた復調信号を出力する（等利得合成方式のダイバーシチ）かを選択する。
【００８３】
ここで、第１推定値電力演算部４４の出力または第２推定値電力演算部５４の出力に乗じる係数について説明する。前述のように、第１受信信号および第２受信信号における雑音電力差が大きいとダイバーシチ効果が減少する。そして、ダイバーシチ効果の減少を抑えるためには、ゲイン調整前の受信信号電力の比を考慮して適応合成ダイバーシチを行なうことが有効である。
【００８４】
第１アンテナ１１で受信した信号の電力、第２アンテナ２１で受信した信号の電力、第１アンテナ１１の受信信号に対するゲイン調整量、第２アンテナ２１の受信信号に対するゲイン調整量、ある搬送波成分に対する第１推定値電力演算部４４の出力、および、前記したある搬送波成分に対する第２推定値電力演算部５４の出力の間には、次の数式６の関係が近似的に成立する。
0003642784.tif 000012
0003642784.tif 000013
なお、PAは第１アンテナ１１で受信した信号の電力、PBは第２アンテナ２１で受信した信号の電力、GAは第１アンテナ１１の受信信号に対するゲイン調整量、GBは第２アンテナ２１の受信信号に対するゲイン調整量、xAはある搬送波成分に対する第１推定値電力演算部４４の出力、xBは第２推定値電力演算部５４の出力である。
【００８５】
従って、第１推定値電力演算部４４の出力に対する第１ＡＧＣ部１３によるゲインの調整は、第１推定値電力演算部４４の出力に対してGBに比例した係数を乗算すればよいことがわかる。同様に、第２推定値電力演算部５４の出力に対する第２ＡＧＣ部２３によるゲインの調整は、第２推定値電力演算部５４の出力に対してGAに比例した係数を乗算すればよい。
【００８６】
電力比比較部３１ｃは、上記した係数を乗算された各推定値電力に基づいて、例えば数式４および数式５による判定を行う。
【００８７】
選択合成／等利得合成選択部３３は、電力比比較部３１ｃからの出力に基づいて、第１復調信号、第２復調信号、または第１復調信号と第２復調とを等利得で合成して得られる復調信号のうちのいずれかを出力する。
したがって、選択合成／等利得合成選択部３３の出力は、２つのアンテナ１１、２１で受信した信号の電力比、およびゲインを調整した後の受信信号において伝送路の特性の推定を行なった結果に対応する電力比に応じて、適応合成ダイバーシチを行なうことによって得られた信号となる。
【００８８】
このように本実施の形態４では、各アンテナ１１、２１から受信される信号の電力レベルを調整する電力制御信号、および各搬送波成分に対する伝送路の特性を推定した結果に対応する電力値をもとに、適応合成ダイバーシチを行なうように構成したので、２つの受信信号の受信電力レベルが異なる場合であっても、ダイバーシチ効果の減少を抑えつつ搬送波ごとに合成することが可能となり、受信装置の受信性能を向上することができる。
【００８９】
実施の形態５．
実施の形態４では、各アンテナ１１、２１から受信される信号の電力レベルと、各搬送波において伝送路の特性を推定した結果に対応する信号電力をもとに適応合成ダイバーシチを行なう場合の構成を示した。実施の形態５では、各アンテナ１１、２１から受信される信号の電力レベルと、各搬送波の信号電力をもとに適応合成ダイバーシチを行なう場合について説明する。
【００９０】
図８は、実施の形態５におけるダイバーシチ受信装置を表すブロック図である。
図８において、第１ＯＦＤＭ復調部１５ｄ、第２ＯＦＤＭ復調部２５ｄ、電力比比較部３１ｄ、第１搬送波電力演算部４５、第２搬送波電力演算部５５、第１推定値電力演算部４４から電力比比較部３１ｄへの出力接続が無いこと、および第２推定値電力演算部５４から電力比比較部３１ｄへの出力接続が無いこと以外の構成は、図７（実施の形態４）の構成と同様である。また、第１搬送波電力演算部４５、第２搬送波電力演算部５５については、図５（実施の形態２）と同様である。
【００９１】
以下、本実施の形態５におけるダイバーシチ受信装置の動作について説明する。なお実施の形態１乃至実施の形態４で示した構成と同様の構成については説明を省略する。
電力比比較部３１ｄは、第１ゲイン検出部４７から出力される第１電力制御信号、第２ゲイン検出部５７から出力される第２電力制御信号、第１搬送波電力演算部４５から出力される第１搬送波電力、第２搬送波電力演算部５５から出力される第２搬送波電力、および、所定のしきい値を入力とする。なお、以下、本実施の形態５の説明においては、上記した各電力の値から得られた電力比と比較される所定のしきい値を、実施の形態１乃至実施の形態４と同様に電力比しきい値と記載する。
【００９２】
電力比比較部３１ｄは、第１電力制御信号に基づいて決定される係数を第１搬送波電力に乗算する。また、第２電力制御信号に基づいて決定される係数を第２搬送波電力に乗算する。さらに、第１搬送波電力および第２搬送波電力のそれぞれに対応する乗算の結果のうち、いずれの乗算結果が大きいかを判定した後、値が大きい方の乗算結果を値の小さい乗算結果で除した除算結果と前記電力比しきい値とを比較して、当該比較の結果に対応する信号を搬送波毎に選択合成／等利得合成選択部３３へと出力する。なお、前記係数は実施の形態５において説明したのと同様に決定すればよい。具体的には、推定値電力演算部４４、５４の出力を搬送波電力演算部４５、５５の出力と同様に扱うことにより前記係数を求めればよい。
【００９３】
選択合成／等利得合成選択部３３は、電力比比較部３１ｄから入力された信号に基づいて、第１ＯＦＤＭ復調部１５および第２ＯＦＤＭ復調部２５からの復調信号に対して、何れかの復調信号を選択して出力する（選択方式のダイバーシチ）か、あるいは、双方の復調信号を等利得で合成して得られた復調信号を出力する（等利得合成方式のダイバーシチ）かを選択する。
【００９４】
電力比比較部３１ｄでは、各搬送波電力演算部４５、５５のから出力された搬送波電力に係数を乗算した結果をもとに、例えば数式４および数式５による判定を行う。
【００９５】
選択合成／等利得合成選択部３３は、電力比比較部３１ｄの出力をもとに、第１復調信号、第２復調信号、または第１復調信号と第２復調信号とを等利得で合成した復調信号のうち、いずれかを出力する。
したがって、選択合成／等利得合成選択部３３の出力は、２つのアンテナ１１、２１で受信した信号の電力比とゲイン調整後の受信信号の搬送波電力比に応じて、等利得合成方式によるダイバーシチと選択方式によるダイバーシチとを搬送波成分ごとに適応的に切り替えて出力した信号となる。
【００９６】
このように本実施の形態５では、各アンテナから受信される信号の電力レベルを調整するの制御信号およびフーリエ変換後の搬送波成分の電力値をもとに適応合成ダイバーシチを行なうように構成したので、２つの受信信号の受信電力レベルが異なる場合であっても、ダイバーシチ効果の減少を抑えつつ搬送波ごとに合成することが可能となり、受信装置の受信性能を向上することができ、伝送路推定時の推定誤差の影響を受けることなく適応合成ダイバーシチを行なうことが可能となり、受信装置の受信性能を向上することができる。
【００９７】
実施の形態６．
実施の形態５では、各アンテナ１１、２１から受信される信号の電力レベルと、各搬送波の信号電力をもとに適応合成ダイバーシチを行なう場合を示した。実施の形態６では、各アンテナ１１、２１から受信される信号の電力レベルをもとに電力比比較部におけるしきい値を適応的に変更し、当該しきい値と推定値電力の値をもとに適応合成ダイバーシチを行なう場合について説明する。
【００９８】
図９は、実施の形態６におけるダイバーシチ受信装置を表すブロック図である。
図９において、電力比比較部３１ｅ、ゲイン検出部４７、５７と電力比比較部３１ｅとの間に設けられたしきい値変換テーブル部３２、およびしきい値変換テーブル部３２から電力比しきい値が電力比比較部３１ｅに出力されること以外については、図８（実施の形態５）と同様の構成である。なお、図９中の第１ＯＦＤＭ復調部１５ｅおよび第２ＯＦＤＭ復調部２５ｅは、図７（実施の形態４）に記載の第１ＯＦＤＭ復調部１５ｃおよび第２ＯＦＤＭ復調部２５ｃと同様の構成である。
【００９９】
以下、本実施の形態６におけるダイバーシチ受信装置の動作について説明する。なお、実施の形態１乃至実施の形態５で示した構成と同様の構成については説明を省略する。
しきい値変換テーブル部３２は、第１ゲイン検出部４７から出力された第１電力制御信号および第２ゲイン検出部５７から出力された第２電力制御信号に基づいて、電力比しきい値を出力する。すなわち、実施の形態１乃至実施の形態５においては電力比しきい値を予め定めていたが、本実施の形態６においては、しきい値変換テーブル部３２が、第１電力制御信号および第２電力制御信号に基づいて電力比しきい値を出力する。
【０１００】
電力比しきい値は、前記した数式６より、当該電力比しきい値に第１電力制御信号と第２電力制御信号との比を乗じることで決定される。したがって、しきい値変換テーブル部３２には、電力比しきい値と、第１電力制御信号と第２電力制御信号との比とを乗算した結果を予め格納しておけばよい。
【０１０１】
電力比比較部３１ｅは、第１推定値電力、第２推定値電力、および、電力比しきい値が入力され、第１推定値電力および第２推定値電力のうちのどちらが大きいかを判定する。さらに、前記した２つの推定値電力のうち、値の大きい推定値電力を値の小さい推定値電力で除した除算結果と、しきい値変換テーブル部３２から入力された電力比しきい値とを比較し、当該比較の結果に対応する信号を搬送波毎に選択合成／等利得合成選択部３３へと出力する。
【０１０２】
選択合成／等利得合成選択部３３は、電力比比較部３１ｅの出力に基づいて、第１ＯＦＤＭ復調部１５ｅおよび第２ＯＦＤＭ復調部２５ｅからの復調信号に対して、何れかの復調信号を選択して出力する（選択方式のダイバーシチ）か、あるいは、双方の復調信号を等利得で合成して得られた復調信号を出力する（等利得合成方式のダイバーシチ）かを選択する。
【０１０３】
すなわち、選択合成／等利得合成選択部３３は、電力比比較部３１ｅの出力に応じて、第１復調信号、第２復調信号、または第１復調信号と第２復調信号とを等利得で合成した復調信号のうちのいずれかを出力する。
従って、選択合成／等利得合成選択部３３の出力は、搬送波成分ごとに２つの受信信号の伝送路の特性を推定した値に対応する電力の比に応じて、各復調経路Ａ、Ｂに対応する復調信号のうち、いずれか一方を選択して得られた復調信号、または各復調経路Ａ、Ｂに対応する復調信号を等利得合成した復調信号のいずれか一方の復調信号を適応的に選択して得られる復調信号であり、２つの復調経路Ａ、Ｂによるダイバーシチ効果によって誤り率が減少した信号となる。
【０１０４】
このように本実施の形態６では、各アンテナ１１、２１から受信される信号の電力レベルをもとに適応合成ダイバーシチに使用する電力比しきい値を適応的に変更し、当該電力比しきい値と伝送路特性の推定を行なった結果に対応する電力値をもとに適応合成ダイバーシチを行うように構成したので、伝送路推定結果の電力値を電力制御信号によって補正する際に必要となる乗算回路が不要となり、受信電力レベルの差異によるダイバーシチ効果の減少を抑えつつ搬送波ごとにダイバーシチ合成する受信装置を小規模な回路で実現することができるという効果がある。
【０１０５】
実施の形態７．
実施の形態６では、各アンテナ１１、２１から受信される信号の電力レベルをもとに電力比比較部におけるしきい値を適応的に変更し、当該しきい値と推定値電力の値をもとに適応合成ダイバーシチを行なう場合を示した。実施の形態７では、実施の形態６と同様な場合における他の例について説明する。
【０１０６】
図１０は、本実施の形態７におけるダイバーシチ受信装置を表すブロック図である。
図１０において、電力比比較部３１ｆ、第１搬送波電力演算部４５、第２搬送波電力演算部５５、第１推定値電力演算部４４から電力比比較部３１ｆへの出力接続が無いこと、および第２推定値電力演算部５４から電力比比較部３１ｆへの出力接続が無いこと以外については、図９（実施の形態６）に示したものと同様である。また、第１搬送波電力演算部４５、第２搬送波電力演算部５５は図５（実施の形態２）と同様である。なお、図１０中の第１ＯＦＤＭ復調部１５ｆおよび第２ＯＦＤＭ復調部２５ｆは、図８（実施の形態５）で説明した第１ＯＦＤＭ復調部１５ｄおよび第２ＯＦＤＭ復調部２５ｄと同様の構成である。
【０１０７】
次に、動作について説明する。なお、実施の形態１乃至実施の形態６で示したものと同様の動作については説明を省略する。
しきい値変換テーブル部３２は、実施の形態６において説明したのと同様に、第１電力制御信号および第２電力制御信号をもとに、電力比しきい値を決定して電力比比較部３１ｆに出力する。
【０１０８】
電力比比較部３１ｆは、第１搬送波電力演算部４５から出力される第１搬送波電力、および、第２搬送波電力演算部５５から出力される第２搬送波電力から、両搬送波電力のうちのどちらが大きいかを判定する。さらに、前記した２つの搬送波電力のうち、値の大きい搬送波電力を値の小さい搬送波電力で除算した除算結果と、しきい値変換テーブル部３２から入力された電力比しきい値とを比較して、当該比較の結果に対応する信号を搬送波毎に選択合成／等利得合成選択部３３へと出力する。
【０１０９】
選択合成／等利得合成選択部３３は、電力比比較部３１ｆから入力された信号に基づいて、第１ＯＦＤＭ復調部１５ｆおよび第２ＯＦＤＭ復調部２５ｆからの復調信号のうち、何れかの復調信号を選択して出力する（選択方式のダイバーシチ）か、あるいは、双方の復調信号を等利得で合成して得られた復調信号を出力する（等利得合成方式のダイバーシチ）かを選択する。
【０１１０】
つまり、選択合成／等利得合成選択部３３は、電力比比較部３１ｆの出力に基づき、第１復調部４６からの単独出力、第２復調部５６からの単独出力、第１復調部４６の出力と第２復調部５６の出力を等利得で合成した合成出力のうちのいずれかを出力する。
従って、選択合成／等利得合成選択部３３の出力は、搬送波成分ごとに２つの受信信号の電力比に応じて、各復調経路Ａ、Ｂに対応する復調信号のうち、いずれか一方を選択して得られた復調信号、または、各復調経路ＡおよびＢに対応する復調信号を等利得合成した復調信号のいずれか一方の復調信号を適応的に選択して得られる復調信号であり、２つの復調経路Ａ、Ｂによるダイバーシチ効果によって誤り率が減少した信号となる。
【０１１１】
このように本実施の形態７では、各アンテナ１１、２１から受信される信号の電力レベルをもとに適応合成ダイバーシチに使用する電力比しきい値を適応的に変更し、当該電力比しきい値と各搬送波電力をもとに適応合成ダイバーシチを行なうように構成したので、各搬送波の電力値を電力制御信号によって補正する際に必要となる乗算回路が不要となり、受信電力レベルの差異によるダイバーシチ効果の減少を抑えつつ、搬送波ごとにダイバーシチ合成する受信装置を小規模な回路で実現することができる。また、フーリエ変換後の搬送波成分の電力値を利用して適応合成ダイバーシチを行なうように構成したので、伝送路推定時の推定誤差の影響を受けることなく当該適応合成ダイバーシチを行なうことが可能となり、受信装置の受信性能を向上することができる。
【０１１２】
実施の形態８．
実施の形態７では、各アンテナ１１、２１から受信される信号の電力レベルをもとに電力比比較部におけるしきい値を適応的に変更し、当該しきい値と各搬送波の信号電力をもとに適応合成ダイバーシチを行なう場合を示した。実施の形態８では、実施の形態６に示した電力レベルおよび推定値電力Ｐｅｓに加えて、各復調部４６、５６から出力された復調信号に対して誤り訂正をした結果得られる誤り数も考慮して適応合成ダイバーシチを行なう場合について説明する。
【０１１３】
一般に、誤り訂正符号としてリードソロモン符号を使用している信号に対しては、受信装置の誤り訂正部においてリードソロモン復号器が必要となる。リードソロモン復号器は、受信したデータパケットに付加されているパリティを用いて、当該受信信号の誤り訂正を行なって、受信したデータを再生する。パリティは受信データ系列中の所定数のデータ毎に挿入されており、当該パリティと所定数のデータとによってデータパケットが構成される。そして、リードソロモン復号器はデータパケット毎に誤り訂正を行なう。
【０１１４】
ところで、パリティによって訂正できる限界以上の誤りがあった場合、リードソロモン復号器においては、誤り訂正を行なうことができなくなるが、誤り訂正の際の、当該誤り訂正が不可能であったデータパケットの数を計数することができる。したがって、リードソロモン復号器からは、復調出力に加えて一定時間ごとに訂正不可能であったパケットの数も出力させることができ、本実施の形態では、その訂正不可能であったパケットの数を利用する。なお、以下の説明においては、訂正不可能であったパケットの数を、訂正不可能パケット数Ｎｅｐと記載する。また、誤り数と訂正不可能パケット数とは同様の意味とする。
【０１１５】
図１１は、本実施の形態８におけるダイバーシチ受信装置を表すブロック図である。本実施の形態８におけるダイバーシチ受信装置は、訂正不可能パケット数を利用して適応合成ダイバーシチを行なうべく、合成前誤り訂正部６３、６４を各復調部４６、５６の後段に備える。図１２は、図１１における合成前誤り訂正部６３、６４の構成を示すブロック図であり、図１２中のカウンタ６６は、リードソロモン復号器から出力される訂正不可能パケット数の計数を行なう。
【０１１６】
第１合成前誤り訂正部６３におけるリードソロモン復号器６５は、第１復調部４６から出力された第１復調信号に対して誤り訂正を行ない、当該誤り訂正に伴って発生する所定の時間内の訂正不可能パケット数Ｎｅｐ_Ａに対応する信号（以下、訂正不可能信号と記載する。）を出力する。カウンタ６６は、訂正不可能信号に基づいて、第１復調信号における訂正不可能パケット数Ｎｅｐ_Ａを演算し、当該演算の結果に対応する信号を電力比比較部３１ｇに出力する。
【０１１７】
第２合成前誤り訂正部６４においても同様に、リードソロモン復号器６５は、第２復調部４６から出力された第２復調信号に対して誤り訂正を行ない、訂正不可能信号を出力する。カウンタ６６は、訂正不可能信号に基づいて、第２復調信号における訂正不可能パケット数Ｎｅｐ_Ｂを演算し、当該演算の結果に対応する信号を電力比比較部３１ｇに出力する。なお、以下の本実施の形態８における説明では、第１合成前誤り訂正部６３から出力される訂正不可能信号を第１訂正不可能信号とも記載し、第２合成前誤り訂正部６４から出力される訂正不可能信号を第２訂正不可能信号とも記載する。また、第１復調信号における前記訂正不可能パケット数Ｎｅｐ_Ａを第１の訂正不可能パケット数Ｎｅｐ_Ａと記載し、第２復調信号における前記訂正不可能パケット数Ｎｅｐ_Ｂを第２の訂正不可能パケット数Ｎｅｐ_Ｂと記載する。
【０１１８】
電力比比較部３１ｇは、第１ゲイン検出部４７から出力された第１電力制御信号、第２ゲイン検出部５７から出力された第２電力制御信号、第１推定値電力演算部４４から出力された第１推定値電力Ｐｅｓ_Ａ、第２推定値電力演算部５４から出力された第２推定値電力Ｐｅｓ_Ｂ、第１訂正不可能信号、および、第２訂正不可能信号が入力される。
また、電力比比較部３１ｇには、第１電力制御信号と第２電力制御信号とに対応する第１のしきい値Ｔｈ１、第１訂正不可能信号と第２訂正不可能信号とに対応する第２のしきい値Ｔｈ２、および、第１推定値電力Ｐｅｓ_Ａと第２推定値電力Ｐｅｓ_Ｂとに対応する第３のしきい値Ｔｈ３も予め入力される。
【０１１９】
図１３は、図１１のダイバーシチ受信装置における電力比比較部３１ｇの動作の一例を示すフローチャートである。
図１１の電力比比較部３１ｇでは、入力される第１電力制御信号から第１受信信号の平均電力が演算され、第２電力制御信号から第２受信信号の平均電力が演算される（Ｓ１）。そして、２つの平均電力の差分ΔＰが演算され（Ｓ２）、差分ΔＰと第１のしきい値Ｔｈ１とが比較される（Ｓ３）。
【０１２０】
当該比較の結果、平均電力の差分ΔＰが、第１のしきい値Ｔｈ１よりも大きい場合（Ｓ４：ＹＥＳ）には、第１訂正不可能信号に対応する第１の訂正不可能パケット数Ｎｅｐ＿Ａおよび第２訂正不可能信号に対応する第２の訂正不可能パケット数Ｎｅｐ＿Ｂと、第２のしきい値Ｔｈ２とが各々比較される（Ｓ５）。
【０１２１】
ステップＳ５の比較の結果、第１訂正不可能パケット数Ｎｅｐ_Ａが第２のしきい値Ｔｈ２よりも小さく（Ｓ６：ＹＥＳ）、第２訂正不可能パケット数Ｎｅｐ_Ｂが第２のしきい値Ｔｈ２よりも大きい（Ｓ７：ＹＥＳ）と判断された場合、電力比比較部３１ｇは選択合成／等利得合成選択部３３の信号選択部６１において第１の復調信号を選択する旨の信号を出力する（Ｓ８）。
【０１２２】
ステップＳ５の比較の結果、第１の訂正不可能パケット数Ｎｅｐ_Ａが第２のしきい値Ｔｈ２よりも大きく（Ｓ６：ＮＯかつＳ９：ＹＥＳ）、第２の訂正不可能パケット数Ｎｅｐ_Ｂが第２のしきい値Ｔｈ２よりも小さい（Ｓ１０：ＹＥＳ）と判断された場合、電力比比較部３１ｇは、選択合成／等利得合成選択部３３の信号選択部６１において第２の復調信号を選択する旨の信号を出力する（Ｓ１１）。
【０１２３】
すなわち、ステップＳ５乃至Ｓ１１において、第１訂正不可能信号に対応する訂正不可能パケット数Ｎｅｐ_Ａまたは第２訂正不可能信号に対応する訂正不可能パケット数Ｎｅｐ_Ｂのうち、いずれか一方のみが第２のしきい値Ｔｈ２よりも大きいと判断された場合には、当該第２のしきい値Ｔｈ２よりも小さい訂正不可能パケット数を含む復調信号を出力する旨の信号が電力比比較部３１ｇから選択合成／等利得合成選択部３３へと出力される。
【０１２４】
一方、それ以外の場合、すなわち、平均電力の差分ΔＰが第１のしきい値Ｔｈ１以下の場合（Ｓ４：ＮＯ）、２つの訂正不可能パケット数Ｎｅｐ_Ａ、Ｎｅｐ_Ｂのいずれもが第２のしきい値よりも小さい場合（Ｓ７：ＮＯ）、または、２つの訂正不可能パケット数Ｎｅｐ_Ａ、Ｎｅｐ_Ｂのいずれもが第２のしきい値よりも大きい場合（Ｓ１０：ＮＯ）には、電力比比較部３１ｇは、以下の数式７に示すように、第１推定値電力Ｐｅｓ_Ａおよび第２推定値電力Ｐｅｓ_Ｂから推定値電力比Ｐｅｓ_Ｒを求める。
0003642784.tif 000014
0003642784.tif 000015
但し、数式７において、関数max[X1, X2]は、X1とX2のうちの大きいほうを選択して出力する関数であり、関数min[X1,X2]は、X1とX2のうちの小さいほうを選択して出力する関数である。
【０１２５】
具体的には、電力比比較部３１ｇは、例えば、第１推定値電力Ｐｅｓ_Ａおよび第２推定値電力Ｐｅｓ_Ｂのうち、いずれの電力が大きいかを判定し、値が大きい推定値電力を、値が小さい推定値電力で除して推定値電力比Ｐｅｓ_Ｒを得る。さらに、推定値電力比Ｐｅｓ_Ｒと第３のしきい値Ｔｈ３とを比較する（Ｓ１２）。
【０１２６】
ステップＳ１２の比較の結果、推定値電力比Ｐｅｓ_Ｒが第３のしきい値Ｔｈ３よりも小さい場合（Ｓ１３：ＹＥＳ）には、信号等利得合成部６２において得られる合成復調信号を出力する旨の信号が、電力比比較部３１ｇから選択合成／等利得合成選択部３３へと搬送波毎に出力される（Ｓ１４）。
【０１２７】
ステップＳ１２の比較の結果、推定値電力比Ｐｅｓ_Ｒが第３のしきい値Ｔｈ３以上の場合（Ｓ１３：ＮＯ）には、信号選択部６１において得られる選択復調信号を出力する旨の信号が、電力比比較部３１ｇから選択合成／等利得合成選択部３３へと搬送波毎に出力される（Ｓ１５）。
【０１２８】
選択合成／等利得合成選択部３３は、電力比比較部３１ｇから入力された信号に基づいて信号選択部６１又は信号等利得合成部６２において得られる復調信号を誤り訂正部３４に出力する。
【０１２９】
このように本実施の形態８では、電力レベル、推定値電力Ｐｅｓに加えて、各復調部４６、５６から出力された復調信号の誤り訂正結果で得られる訂正不可能パケット数に基づいて適応合成ダイバーシチを行なうように構成したので、受信電力レベルの差異によるダイバーシチ効果の減少を抑えつつ搬送波ごとにダイバーシチ合成する受信装置を小規模な回路で実現することができる。
【０１３０】
実施の形態９．
実施の形態８では、電力レベルおよび推定値電力Ｐｅｓに加えて、各復調部４６、５６から出力された復調信号の誤り訂正結果で得られる誤り数も考慮して適応合成ダイバーシチを行なう場合について説明した。実施の形態９では、電力レベルおよび推定値電力Ｐｅｓに加えて、第１復調部４６から出力された第１復調信号または第２復調部５６から出力された第２復調信号のいずれか一方の復調信号を誤り訂正することによって得られる誤り数（訂正不可能パケット数）と、選択合成／当利得合成選択部３３から出力された信号を誤り訂正することによって得られる誤り数（訂正不可能パケット数）とを利用して適応合成ダイバーシチを行なう場合について説明する。
【０１３１】
図１４は、本実施の形態９におけるダイバーシチ受信装置の構成を示すブロック図である。なお、図１４における合成前誤り訂正部６７および誤り訂正部３４の構成は、実施の形態８において説明した図１２に記載の各合成前誤り訂正部６３、６４の構成と同様としてよい。また、以下の説明において、実施の形態１乃至実施の形態８において説明した構成と同様の部分については説明を省略する。
【０１３２】
合成前誤り訂正部６７は、第１復調部４６から出力された第１復調信号の誤り訂正を行い、所定の時間内に得られた第３の訂正不可能パケット数ＮＰ_ｐｒｅに対応する第３訂正不可能信号を電力比比較部３１ｈに出力する。また、誤り訂正部３４は、選択合成／等利得合成信号の誤り訂正を行い、第４の訂正不可能パケット数ＮＰ_ｆに対応する第４訂正不可能信号を電力比比較部３１ｈに出力する。
【０１３３】
電力比比較部３１ｈは、第１ゲイン検出部４７から出力された第１電力制御信号、第２ゲイン検出部５７から出力された第２電力制御信号、第１推定値電力演算部４４から出力される第１の推定値電力、第２推定値電力演算部５４から出力される第２の推定値電力、合成前誤り訂正部６７から出力される第３訂正不可能信号、および誤り訂正部３４から出力される第４訂正不可能信号がそれぞれ入力される。
【０１３４】
また、電力比比較部３１ｈには、第１電力制御信号と第２電力制御信号とに対応する第１のしきい値Ｔｈ１、第３訂正不可能信号に対応する第４のしきい値Ｔｈ４、第４誤り訂正不可能信号に対応する第５のしきい値Ｔｈ５、および、第１の推定値電力と第２電力制御信号とに対応する第６のしきい値Ｔｈ６が予め入力される。
【０１３５】
図１５は、図１４のダイバーシチ受信装置における電力比比較部３１ｈの動作の一例を示すフローチャートである。
図１４の電力比比較部３１ｈでは、入力される第１電力制御信号から第１受信信号の平均電力が演算されるとともに、第２電力制御信号から第２受信信号の平均電力が演算され（Ｓ２１）、２つの平均電力の差分ΔＰが演算され（Ｓ２２）、差分ΔＰと第１のしきい値Ｔｈ１とが比較される（Ｓ２３）。
【０１３６】
当該比較の結果、平均電力の差分ΔＰが、第１のしきい値Ｔｈ１よりも大きい場合（Ｓ２４：ＹＥＳ）には、電力比比較部３１ｈで、第３訂正不可能信号に対応する第３の訂正不可能パケット数Ｎｅｐ＿ｐｒｅと第４のしきい値Ｔｈ４とが比較され、第４訂正不可能信号に対応する第４の訂正不可能パケット数Ｎｅｐ＿Ｂと第５のしきい値Ｔｈ５とが各々比較される（Ｓ２５）。
【０１３７】
ステップＳ２５の比較の結果、第３訂正不可能信号に対応する第３の訂正不可能パケット数Ｎｅｐ_ｐｒｅは第４のしきい値Ｔｈ４よりも小さく（Ｓ２６：ＹＥＳ）、第５訂正不可能信号に対応する訂正不可能パケット数Ｎｅｐ_ｆが第５のしきい値Ｔｈ５よりも大きい（Ｓ２７：ＹＥＳ）と判断された場合には、電力比比較部３１ｈは、さらに、ステップＳ２１で得られた第１と第２の各受信信号の平均電力値を比較して、第１平均電力と第２平均電力の何れの平均電力が大きいかを判断する（Ｓ２８）。
【０１３８】
ステップＳ２８で第１平均電力が第２平均電力よりも大きい場合（Ｓ２８：ＹＥＳ）には、電力比比較部３１ｈは、選択合成／等利得合成選択部３３の信号選択部６１において第１の復調信号を選択し、当該第１の復調信号を選択合成／等利得合成選択部３３から出力する旨の信号を出力する（Ｓ２９）。一方、ステップＳ２８で、第１平均電力が第２平均電力以下の場合（Ｓ２８：ＮＯ）、電力比比較部３１ｈは、選択合成／等利得合成選択部３３の信号選択部６１において第２の復調信号を選択し、当該第２の復調信号を選択合成／等利得合成選択部３３から出力する旨の信号を出力する（Ｓ３０）。
【０１３９】
すなわち、ステップＳ２５乃至Ｓ３０では、第３訂正不可能信号に対応する訂正不可能パケット数Ｎｅｐ_ｐｒｅが第４のしきい値Ｔｈ４よりも小さく、さらに、第４訂正不可能信号に対応する訂正不可能パケット数Ｎｅｐ_ｆが第５のしきい値Ｔｈ５よりも大きいと判断された場合には、電力比比較部３１ｈは、第１の平均電力または第２の平均電力のうち、平均電力が大きい方を選択し、その選択された平均電力に対応する復調経路Ａ、Ｂの何れかの復調信号を選択して出力する旨の信号が選択合成／等利得合成選択部３３に出力される。
【０１４０】
一方、それ以外の場合、すなわち、平均電力の差分ΔＰが第１のしきい値Ｔｈ１以下の場合（Ｓ２４：ＮＯ）、第３訂正不可能パケット数Ｎｅｐ_ｐｒｅが第４のしきい値Ｔｈ４以上である場合（Ｓ２６：ＮＯ）、または、第４の訂正不可能パケット数Ｎｅｐ_ｆが第５のしきい値以下である場合（Ｓ２７：ＮＯ）には、電力比比較部３１ｈは、実施の形態８の数式７に示すように、第１推定値電力Ｐｅｓ_Ａおよび第２推定値電力Ｐｅｓ_Ｂから推定値電力比Ｐｅｓ_Ｒを求め、推定値電力比Ｐｅｓ_Ｒと第６のしきい値Ｔｈ６とを比較する（Ｓ３２）。
【０１４１】
ステップＳ３２の比較の結果、推定値電力比Ｐｅｓ_Ｒが第６のしきい値Ｔｈ６よりも小さい場合（Ｓ３３：ＹＥＳ）には、信号等利得合成部６２において得られる復調信号を出力する旨の信号が、電力比比較部３１ｈから選択合成／等利得合成選択部３３へと搬送波毎に出力される（Ｓ３４）。
【０１４２】
ステップＳ３２の比較の結果、推定値電力比Ｐｅｓ_Ｒが第６のしきい値Ｔｈ６以上である場合（Ｓ３３：ＮＯ）には、信号選択部６１において得られる復調信号を出力する旨の信号が、電力比比較部３１ｈから選択合成／等利得合成選択部３３へと搬送波毎に出力される（Ｓ３５）。選択合成／等利得合成選択部３３は、電力比比較部３１ｈから入力された信号に基づいて信号選択部６１または信号等利得合成部６２において得られる復調信号を誤り訂正部３４に出力する。
【０１４３】
このように本実施の形態９では、電力レベル、推定値電力Ｐｅｓに加えて、第１復調信号または第２復調信号のいずれか一方の復調信号の誤り訂正結果から得られる第３の訂正不可能パケット数と、選択合成／当利得合成選択部３３の出力信号の誤り訂正結果から得られる第４の訂正不可能パケット数とを利用して適応合成ダイバーシチを行なうように構成したので、受信電力レベルの差異によるダイバーシチ効果の減少を抑えつつ各復調経路Ａ、Ｂの誤り数に応じた適応合成ダイバーシチを搬送波ごとに行うダイバーシチ受信装置を小規模な回路で実現することができる。
【０１４４】
なお、実施の形態８および実施の形態９では、訂正不可能パケット数を利用する場合について説明したが、訂正不可能パケット数に代えて、当該訂正不可能パケット数を所定時間内のパケットで除算することによって得られる訂正不可能パケット率（誤り率ともいう。）を利用することもできる。
【０１４５】
また、実施の形態１乃至実施の形態９では、復調経路が２系統の場合について説明したが、本発明はこれに限られるものではなく、３系統以上の復調経路を有するダイバーシチ受信装置で選択合成方式のダイバーシチと信号等利得合成方式のダイバーシチとを切り替える場合にも容易に適用することができる。
【０１４６】
また、前記した実施の形態３乃至９においては、第１ＯＦＤＭ復調部および第２ＯＦＤＭ復調部の内部に、第１ゲイン検出部４７および第２ゲイン検出部５７を配置する場合について説明したが、第１ゲイン検出部４７および第２ゲイン検出部５７は各ＯＦＤＭ復調部の外部に配置しても良い。
【０１４７】
産業上の利用可能性
以上のように、本発明のダイバーシチ受信方法では、選択方式のダイバーシチと等利得合成方式のダイバーシチを各復調経路における受信信号に対応する電力に応じて搬送波成分ごとに適応的に切り替えるようにしたので、従来の選択合成方式のみを実施するダイバーシチ受信方法や、等利得合成方式のみを実施するダイバーシチ受信方法に比べて、ダイバーシチ効果を大きくすることが可能となり、受信性能を向上することができ、最大比合成方式のダイバーシチを実施する場合に比べて小規模な回路でダイバーシチ効果の大きいダイバーシチ受信装置を実現することができる。
【図１】
0003642784.tif 000016
【図２】
0003642784.tif 000017
【図３】
0003642784.tif 000018
【図４】
0003642784.tif 000019
【図５】
0003642784.tif 000020
【図６】
0003642784.tif 000021
【図７】
0003642784.tif 000022
【図８】
0003642784.tif 000023
【図９】
0003642784.tif 000024
【図１０】
0003642784.tif 000025
【図１１】
0003642784.tif 000026
【図１２】
0003642784.tif 000027
【図１３】
0003642784.tif 000028
【図１４】
0003642784.tif 000029
【図１５】
0003642784.tif 000030